(57)【要約】  各医療情報システムから電子的に出力された患者の情報を特定の形式に変換することが可能なプログラム等の提供を目的とする。  指示入力手段４６が、患者識別情報の入力を受け付けるステップと、制御手段が、入力された患者識別情報に基づいて、患者情報を管理する情報処理装置１２の患者情報記憶手段１２１内を検索し、当該患者識別情報に係る患者情報を呼び出すステップと、制御手段が、呼び出した当該患者情報を、変換テーブル記憶手段４４２に記憶されている変換テーブルに基づいて、特定の形式に変換するステップと、を情報処理装置４に実行させるプログラムとした。
2013002127.tif 000002
【特許請求の範囲】
【請求項１】
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、
制御手段が、呼び出した当該患者情報を、変換テーブル記憶手段に記憶されている変換テーブルに基づいて、特定の形式に変換するステップと、を情報処理装置に実行させることを特徴とする、プログラム。
【請求項２】
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、を情報処理装置に実行させるプログラムが記憶されている記憶媒体と、
制御手段が、呼び出した当該患者情報を、変換テーブル記憶手段に記憶されている変換テーブルに基づいて、特定の形式に変換するステップ、を情報処理装置に実行させるプログラムが記憶されている情報処理装置とからなることを特徴とする、システム。
【請求項３】
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、を情報処理装置に実行させるプログラムが記憶されている情報処理装置と、
制御手段が、呼び出した当該患者情報を、変換テーブル記憶手段に記憶されている変換テーブルに基づいて、特定の形式に変換するステップ、を情報処理装置に実行させるプログラムが記憶されている記憶媒体とからなることを特徴とする、システム。
【請求項４】
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、
制御手段が、呼び出した当該患者情報を、変換テーブル記憶手段に記憶されている変換テーブルに基づいて、特定の形式に変換するステップと、を情報処理装置に実行させるプログラムが記憶されていることを特徴とする、記憶媒体。
【発明の詳細な説明】
【技術分野】
【０００１】
この発明は、各医療機関が管理する患者情報を変換するプログラム、当該プログラムを用いたシステム、当該プログラムを記憶した記憶媒体に関する。
【背景技術】
【０００２】
従来、病院等の各医療機関において、医師の診断結果であるカルテ等の患者の医療情報は、医療情報システムによって電子的に管理されている。【０００３】
例えば特許文献１では、過去の電子カルテ情報を呼び出して、この内容を新規な電子カルテ情報として電子カルテを作成する制御手段を備える構成とすることによって、医師が本来の診療行為に集中することができるように、医師の電子カルテに診療情報を入力する際の負担を軽減することのできる電子カルテシステムが開示されている。
【先行技術文献】
【特許文献】
【０００４】
【特許文献１】特開２００７−１１５２９０号公報
【発明の概要】
【発明が解決しようとする課題】
【０００５】
しかしながら、各医療機関で導入されている医療情報システムは、メーカー毎に独自性があり、これらの医療情報システムはメーカー間で互換性がなかった。そのため、ある医療機関の医療情報システムから患者のカルテ等を電子的に出力し、異なるメーカーの医療情報システムを導入している医療機関等が、自身の医療情報システムに当該カルテ等を読み込んで当該カルテ等を閲覧等することはできなかった。また、病院等の各医療機関に導入されている医療情報システムは、上述したように独自性があるため、患者が、当該医療情報システムから電子的に出力された自身のカルテ等を自宅のPC等で閲覧等することはできなかった。【０００６】
そこでこの発明は、かかる事情に鑑みてなされたものであって、病院等の各医療機関で導入されている医療情報システムが異なる場合であっても、各医療情報システムから電子的に出力された患者の情報を特定の形式に変換することが可能な、プログラム、当該プログラムを用いたシステム、当該プログラムを記憶した記憶媒体の提供を目的とする。
【課題を解決するための手段】
【０００７】
前記目的を達成するため、請求項１の発明では、
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、
制御手段が、呼び出した当該患者情報を、変換テーブル記憶手段に記憶されている変換テーブルに基づいて、特定の形式に変換するステップと、を情報処理装置に実行させる、プログラムとした。【０００８】
また、請求項２の発明では、
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、を情報処理装置に実行させるプログラムが記憶されている記憶媒体と、
制御手段が、呼び出した当該患者情報を、変換テーブル記憶手段に記憶されている変換テーブルに基づいて、特定の形式に変換するステップ、を情報処理装置に実行させるプログラムが記憶されている情報処理装置とからなる、システムとした。【０００９】
また、請求項３の発明では、
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、を情報処理装置に実行させるプログラムが記憶されている情報処理装置と、
制御手段が、呼び出した当該患者情報を、変換テーブル記憶手段に記憶されている変換テーブルに基づいて、特定の形式に変換するステップ、を情報処理装置に実行させるプログラムが記憶されている記憶媒体とからなる、システムとした。【００１０】
また、請求項４の発明では、
指示入力手段が、患者識別情報の入力を受け付けるステップと、
制御手段が、入力された患者識別情報に基づいて、患者情報を管理する情報処理装置の患者情報記憶手段内を検索し、当該患者識別情報に係る患者情報を呼び出すステップと、
制御手段が、呼び出した当該患者情報を、変換テーブル記憶手段に記憶されている変換テーブルに基づいて、特定の形式に変換するステップと、を情報処理装置に実行させるプログラムが記憶されている、記憶媒体とした。
【発明の効果】
【００１１】
請求項１〜４の発明によれば、病院等の各医療機関で導入されている医療情報システムが異なる場合であっても、各医療情報システムから電子的に出力された患者情報を特定の形式に変換することができる。
【図面の簡単な説明】
【００１２】
【図１】この発明に係る実施例１の医療情報カードの全体的な構成を例示的に示す概念図である。
【図２】この発明に係る実施例１のUSBメモリ部の全体的な構成を例示的に示す概念図である。
【図３】この発明に係る実施例１の情報処理装置の全体的な構成を例示的に示す概念図である。
【図４】この発明に係る実施例１のＨＤの変換テーブル記憶領域の構造を模式的に示した図である。
【図５】この発明に係る実施例１の情報処理装置の処理の流れを示す流れ図である。
【図６】この発明に係る実施例１の認証プログラムの閲覧パスワード入力画面を例示的に示す模式図である。
【図７】この発明に係る実施例１の認証プログラムの医療機関コード等の入力画面を例示的に示す模式図である。
【図８】この発明に係る実施例１の患者医療情報記憶領域に医療情報を入力するカルテ入力画面を例示的に示す模式図である。
【図９】この発明に係る実施例１の情報処理装置の処理の流れを示す流れ図である。
【図１０】この発明に係る実施例１の情報処理装置の処理の流れを示す流れ図である。
【図１１】この発明に係る実施例１のUSBメモリ部が情報処理装置を通じて患者医療情報等を取り込む場合の全体的な構成を例示的に示す概念図である。
【図１２】この発明に係る実施例１の情報処理装置の処理の流れを示す流れ図である。
【図１３】この発明に係る実施例１のＵＳＢメモリ部の受信情報記憶領域に記憶されている患者医療情報を例示的に示す図である。
【図１４】この発明に係る実施例２の医療情報カードの全体的な構成を例示的に示す概念図である。
【図１５】この発明に係る実施例２のＵＳＢメモリ部の全体的な構成を例示的に示す概念図である。
【図１６】この発明に係る実施例２の情報処理装置の全体的な構成を例示的に示す概念図である。
【図１７】この発明に係る実施例２のＵＳＢメモリ部の記憶部の全体的な構成を例示的に示す概念図である。
【図１８】この発明に係る実施例２の記憶部の閲覧パスワード記憶領域の構造を模式的に示した図である。
【図１９】この発明に係る実施例２の認証プログラムの閲覧パスワード入力画面を例示的に示す模式図である。
【図２０】この発明に係る実施例２の認証プログラムの医療機関コード等の入力画面を例示的に示す模式図である。
【図２１】この発明に係る実施例２の認証プログラムの医療機関基本情報の入力画面を例示的に示す模式図である。
【図２２】この発明に係る実施例２の患者処方情報記憶領域等の各記憶領域から特定の医療機関IDに係る医療情報を呼び出してディスプレイ上に表示させた表示画面を例示的に示した図である。
【図２３】この発明に係る実施例２の患者サマリー情報記憶領域に記憶されている医療情報を呼び出してディスプレイ上に表示させた表示画面を例示的に示した図である。
【図２４】この発明に係る実施例２の記憶部のログイン履歴記憶領域の構造を模式的に示した図である。
【図２５】この発明に係る実施例２の記憶部の患者処方情報記憶領域の構造を模式的に示した図である。
【図２６】この発明に係る実施例２の記憶部の患者検査情報記憶領域の構造を模式的に示した図である。
【図２７】この発明に係る実施例２の記憶部の患者注射情報記憶領域の構造を模式的に示した図である。
【図２８】この発明に係る実施例２の記憶部の患者予約情報記憶領域の構造を模式的に示した図である。
【図２９】この発明に係る実施例２の記憶部の患者本人服用情報記憶領域の構造を模式的に示した図である。
【図３０】この発明に係る実施例２の記憶部の医療機関基本情報記憶領域の構造を模式的に示した図である。
【図３１】この発明に係る実施例２の記憶部のアクセス制御情報記憶領域の構造を模式的に示した図である。
【図３２】この発明に係る実施例２の情報処理装置の処理の流れを示す流れ図である。
【図３３】この発明に係る実施例２の情報処理装置の処理の流れを示す流れ図である。
【図３４】この発明に係る実施例２の情報処理装置の処理の流れを示す流れ図である。
【図３５】この発明に係る実施例２の情報処理装置の処理の流れを示す流れ図である。
【図３６】この発明に係る実施例２の情報処理装置の処理の流れを示す流れ図である。
【図３７】この発明に係る実施例１のUSBメモリ部が情報処理装置を通じて患者医療情報等を取り込む場合の全体的な構成を例示的に示す概念図である。
【図３８】この発明に係る実施例２の情報処理装置の処理の流れを示す流れ図である。
【発明を実施するための形態】
【００１３】
この発明は、指示入力手段が、患者識別情報の入力を受け付けるステップと、制御手段が、入力された患者識別情報に基づいて、患者情報を管理する情報処理装置の患者情報記憶手段内を検索し、当該患者識別情報に係る患者情報を呼び出すステップと、制御手段が、呼び出した当該患者情報を、変換テーブル記憶手段に記憶されている変換テーブルに基づいて、特定の形式に変換するステップと、を情報処理装置に実行させる構成としたため、病院等の各医療機関で導入されている医療情報システムが異なる場合であっても、各医療情報システムから電子的に出力された患者情報を特定の形式に変換することができる。
【実施例１】
【００１４】
以下、添付図面を参照して本発明に係る実施例を詳細に説明する。ただし、この実施例に記載されている構成要素はあくまでも例示であり、本発明の範囲をそれらのみに限定する趣旨のものではない。【００１５】
＜医療情報カードＡの構成＞
本実施例に係る医療情報カードＡの構成を、図１を用いて説明する。医療情報カードＡは、主としてカード部１と、ＵＳＢメモリ部２とからなる。なお、図１(a)では医療情報カードＡをユーザの首から掛けられるようにカード部１にネックストラップ３が取り付けられている。そして医療情報カードＡを携帯する際等には、図１(a)に示すようにUSBメモリ部２をカード部１の裏側に折り畳む。そして、PC(＝Personal Computer)等の情報処理装置４に接続する際には、図１(b)に示すようにUSBメモリ部２を回動させてUSBコネクタ２１を突出させる。このように、USBメモリ部２をカード部に折り畳んで格納できるため、水等にぬれてもUSBメモリ部２の故障を防ぐことができる。【００１６】
カード部１は、例えばプラスチック製であり、厚さ約1.9mmのICカードサイズである。【００１７】
＜USBメモリ部の構成＞
次に、USBメモリ部２の構成を、図２を用いて説明する。USBメモリ部２は、主としてUSBコネクタ２１と、USBインタフェイス２２と、制御部２３と、記憶部２４と、これらUSBメモリ部２の内部に備えられている各機器を接続するバス２５とから構成され、これらは例えば同一の半導体基板上に形成されている。このように、本実施例においては、記憶媒体としてUSBメモリを用いる構成としたため、当該記憶媒体に記憶されている患者の医療情報等を閲覧、入力するために、専用の機器を用意する必要がなく、USB接続端子を備えた汎用PC等を用いることができる。USB接続端子を備えた汎用のPCであれば、患者、医療機関等で既に所有しているため、新たな機器を導入する必要がなく、便宜である。【００１８】
USB(＝Universal Serial Bus)コネクタ２１は、情報処理装置４との接続端子として機能する。【００１９】
USBインタフェイス２２は、USBコネクタ２１を介して、情報処理装置４から出力されたデータやコマンドを受信する。また、USBインタフェイス２２は記憶部２４から読み出されたデータやプログラム等を、USBコネクタ２１を介して情報処理装置４へ出力する。【００２０】
制御部２３は、例えばＬＳＩ(＝集積回路)である。制御部２３は、情報処理装置４から受信したコマンドに応じて、記憶部２４に記憶されているデータ及びプログラムを呼び出して情報処理装置４に出力する。また制御部２３は、情報処理装置４から受信したデータを記憶部２４に記憶させる。また、制御部２３は記憶部２４と情報処理装置４との間におけるUSB接続に関する各種設定・制御を行うための通信も実行する。【００２１】
記憶部２４は、例えば２GBあるいは４GBのフラッシュメモリであり、制御部２３からのコマンドに従ってデータを読み出して出力すると共に、情報処理装置４から受信したデータを記憶する。詳細は後述する。【００２２】
＜情報処理装置４の構成＞
次に、情報処理装置４の構成について説明する。情報処理装置４は、例えばデスクトップ型のPC、ノートブック型のPC、タブレット型のPC、PDA(＝Personal Digital Assistant)であり、患者本人や、医療機関の医療従事者及び事務職員や、救急救命活動を行う救命士・消防士・警察官・自衛官・自治体職員等が用いるものである。情報処理装置４は、図３に示すように少なくとも、ＣＰＵ４１（制御手段の一例）、ＲＡＭ４２、ＲＯＭ４３、ＨＤ４４、ディスプレイ４５、指示入力手段４６（指示入力手段の一例）、インタフェイス４７、これらの機器を接続するバス４８を有している。【００２３】
ＣＰＵ(＝Central Processing Unit)４１は、ＨＤ４４等に記憶されているアプリケーションプログラム、オペレーティングシステム（ＯＳ）や制御プログラム等を実行し様々な機能を実現する。また、ＲＡＭ４２にプログラムの実行に必要な情報、ファイル等を一時的に記憶する制御を行う。また、ＣＰＵ４１はUSBメモリ部２から呼び出した認証プログラム、暗号化プログラム、情報呼出プログラムをＲＡＭ４２に一時的に記憶させ、当該プログラムを実行する。また、ＣＰＵ４１はＨＤ４４から呼び出した変換プログラムをＲＡＭ４２に一時的に記憶させ、当該プログラムを実行する。また、ＣＰＵ４１はUSBメモリ部２から受信した患者の基本情報及び医療情報をＲＡＭ４２に一時的に記憶させ、当該情報をディスプレイ４５に表示させる。また、ＣＰＵ４１はキーボードやマウス等の指示入力手段４６を用いて入力された情報をUSBメモリ部２に出力する。【００２４】
ＲＡＭ(＝Random Access Memory)４２は各種データ、プログラム等を一時的に記憶するためのものであり、ＣＰＵ４１の主メモリ、ワークエリア等として機能する。ＲＯＭ４３は、内部に基本Ｉ／Ｏプログラム等のプログラム、基本処理において使用する各種データ等を記憶する。【００２５】
ＨＤ(＝ハードディスク)４４は補助記憶装置であり、大容量メモリとして機能する。ＨＤ４４には、アプリケーションプログラム、ＯＳ、制御プログラム、関連プログラム等を記憶する。またＨＤ４４には、変換プログラム記憶領域４４１及び変換テーブル記憶領域４４２（変換テーブル記憶手段の一例）が設けられている。【００２６】
＜変換プログラム記憶領域４４１の構成＞
変換プログラム記憶領域４４１には、受信情報記憶領域２４７に記憶されている医療情報を、例えばXML（＝eXtensible Markup Language）等の特定の形式に変換する変換プログラムが記憶されている。変換プログラムの構成について、以下、詳しく説明する。【００２７】
変換プログラムは、情報処理装置４のＣＰＵ４１に、受信情報記憶領域２４７を記憶部２４内の空いている領域に作成させるステップを有する。なお、この受信情報記憶領域２４７は、引数（type、ver、pid、path）に従って作成される。また、変換プログラムは、情報処理装置４のＣＰＵ４１に、医療機関のサーバ等の情報処理装置１２（図１１参照）の患者情報記憶手段１２１から呼び出した患者基本情報及び患者医療情報を、受信情報記憶領域２４７に記憶させるステップを有する。また、変換プログラムは、情報処理装置４のＣＰＵ４１に、受信情報記憶領域２４７に記憶されている患者基本情報又は患者医療情報を呼び出させると共に、変換テーブル記憶領域４４２に記憶されている変換テーブルを参照させ、呼び出した当該患者基本情報又は患者医療情報の中から特定の項目を抜き出させて、XML等の特定の形式に変換させるステップを有する。また、変換プログラムは、情報処理装置４のＣＰＵ４１に、XML等の特定の形式に変換した患者基本情報又は患者医療情報を患者基本情報記憶領域２４２又は患者医療情報記憶領域２４３に記憶させるステップを有する。【００２８】
＜変換テーブル記憶領域４４２の構成＞
変換テーブル記憶領域４４２には、図４に示すように、受信情報記憶領域２４７から呼び出した患者基本情報及び患者医療情報の中から抜き出す項目と、呼び出した患者基本情報又は患者医療情報において当該項目が含まれるセグメント（＝部分、領域）とが記憶されている。【００２９】
ディスプレイ４５は、表示手段としての役割を果たし、例えば液晶ディスプレイ、有機ELディスプレイ、CRT、プラズマディスプレイであり、指示入力手段４６から入力されたコマンドや、それに対する情報処理装置４の応答出力等を表示するものである。【００３０】
指示入力手段４６は、例えば、キーボードやポインティングデバイス（マウス等）、タッチパネルである。ユーザは指示入力手段４６を用いて、情報処理装置４に対して、情報処理装置４を制御するコマンド等を入力指示する。また、指示入力手段４６は、医療機関等のユーザから診察券番号等の患者識別情報の入力を受け付ける。４７はインタフェイスであり、このインタフェイス４７を介して他の装置とのデータのやり取りを行う。なお、情報処理装置４は少なくともインタフェイス４７として、USBメモリ部２のUSBコネクタ２１と接続し、USBメモリ部２とデータのやり取りを行うためのUSB接続端子を有している。【００３１】
＜記憶部２４の構成＞
次に記憶部２４の構成を説明する。記憶部２４には、閲覧パスワード記憶領域２４１、患者基本情報記憶領域２４２、患者医療情報記憶領域２４３、認証プログラム記憶領域２４４、暗号化プログラム記憶領域２４５、情報呼出プログラム記憶領域２４６、受信情報記憶領域２４７が設けられている。【００３２】
＜閲覧パスワード記憶領域２４１の構成＞
閲覧パスワード記憶領域２４１には、患者(＝本人)、医療機関、消防(救急救命)、警察、自治体(国、県、市町村、自衛隊)等であることを夫々識別する識別コードが記憶されている。識別コードは、具体的には例えば、７桁のアルファベット及び数字の組み合わせである。【００３３】
＜患者基本情報記憶領域２４２の構成＞
患者基本情報記憶領域２４２には、患者の基本情報が記憶されている。患者の基本情報には、具体的には例えば、患者の氏名、顔写真、生年月日、性別、血液型、住所、緊急連絡先、健康保険番号、電話番号(自宅、会社、携帯)、緊急時に個人資格を証明できる情報(＝自動車免許証番号・パスポート番号等)が含まれる。また、患者の基本情報には、当該情報を入力した医師等が任意に登録した書き込みパスワードが設定されている。【００３４】
＜患者医療情報記憶領域２４３の構成＞
患者医療情報記憶領域２４３には、通常カルテに記載される患者の医療情報が、カルテ毎に区分けされて記憶されている。このように医療情報がカルテ毎に区分けされて記憶されているため、患者(本人)は医療機関毎に複数の診察券を所持・管理する必要がなくなり、便宜である。患者の医療情報には、具体的には例えば、医療機関名、医療機関の電話番号及び住所、医局名、医師名、受診(手術)内容、受診部位、投薬名、通常血圧、通常脈拍、既往症、常用薬、来院記録、主訴、所見、検査が含まれる。また患者の医療情報にはカルテ毎に夫々、当該情報を入力した医師等が任意に登録した書き込みパスワードが設定されている。【００３５】
なお、患者基本情報記憶領域２４２に記憶されている患者の基本情報及び患者医療情報記憶領域２４３に記憶されている患者の医療情報は夫々、暗号化されている。【００３６】
＜認証プログラム記憶領域２４４の構成＞
認証プログラム記憶領域２４４には、入力された閲覧パスワードと閲覧パスワード記憶領域２４１に記憶されている閲覧パスワードとを比較して、一致した場合には患者基本情報記憶領域２４２に記憶されている患者の基本情報及び患者医療情報記憶領域２４３に記憶されている医療情報の閲覧を許可し、また、入力された書き込みパスワードと指定した医療情報又は基本情報に設定されている書き込みパスワードとを比較して、一致した場合には当該医療情報又は基本情報への書き込みを許可する認証プログラムが記憶されている。【００３７】
＜暗号化プログラム記憶領域２４５の構成＞
暗号化プログラム記憶領域２４５には、RSA、AES(＝Advanced Encryption Standard)、DES(＝Data Encryption Standard)等の暗号化プログラムが記憶されている。特に、USBメモリ部２に記憶されているデータのコピーを防止すると共に、USBメモリ部２が情報処理装置４に接続されている際に、インターネット等のネットワークを通じたUSBメモリ部２への不正アクセスを防止するため、暗号化プログラムとして「AES-CBC-256」が記憶されている構成が望ましい。【００３８】
＜情報呼出プログラム記憶領域２４６の構成＞
情報呼出プログラム記憶領域２４６には、診察券番号等の、当該医療機関において各患者を識別する患者識別情報に基づいて、医療機関のサーバ等の、自身の医療情報を管理する情報処理装置１２の患者情報記憶手段１２１に記憶されている患者基本情報及びカルテ等の患者医療情報を検索し、当該患者識別情報に係る患者基本情報及び患者医療情報を呼び出す情報呼出プログラムが記憶されている。情報呼出プログラムの構成について、以下、詳しく説明する。【００３９】
情報呼出プログラムは、情報処理装置４の指示入力手段４６に、診察券番号等の患者識別情報の入力を受け付けさせるステップを有する。また情報呼出プログラムは、情報処理装置４のＣＰＵ４１に、患者識別情報に基づいて、医療機関のサーバ等の情報処理装置１２の患者情報記憶手段１２１に記憶されている患者基本情報又は患者医療情報を検索させ、当該患者識別情報に係る患者基本情報又は患者医療情報を呼び出させるステップを有する。【００４０】
＜受信情報記憶領域２４７の構成＞
受信情報記憶領域２４７には、医療機関のサーバ等の情報処理装置１２の患者情報記憶手段１２１から呼び出された、当該患者識別情報に係る患者基本情報及び患者医療情報が記憶される。【００４１】
＜USBメモリ部２で行う処理の流れ＞
次にUSBメモリ部２で行う処理の流れについて説明する。まず、医療機関の医師等がUSBメモリ部２に医療情報を書き込む場合について図５を用いて説明する。なお、医療機関の医師等がUSBメモリ部２に患者の基本情報を書き込む場合については、医療情報を書き込む場合と同様であるため、説明を省略する。【００４２】
例えば患者(本人)を診察した医師は、医療情報カードAのUSBメモリ部２を回動させて、電子カルテ入力用PC等の情報処理装置４のインタフェイス４７であるUSB接続端子にUSBコネクタ２１を接続する。【００４３】
制御部２３がUSBインタフェイス２２を通じて情報処理装置４にUSBメモリ部２が接続されたことを認識すると(ステップＳ５０１でＹＥＳ)、制御部２３は認証プログラム記憶領域２４４から認証プログラムを呼び出すと共に、暗号化プログラム記憶領域２４５から暗号化プログラムを呼び出して、情報処理装置４に出力する。情報処理装置４のＣＰＵ４１は、受信した認証プログラム及び暗号化プログラムをＲＡＭ４２に一時的に記憶させる。【００４４】
なお通常、情報処理装置４にUSBメモリ部２が接続されると、情報処理装置４は、電気的に、デバイスとしてのUSBメモリ部の接続を検出し、USBメモリ部２について、USBの標準仕様に規定された初期化処理を実行する。具体的には例えば、USBデバイスリクエストのやりとりや、ディスクリプタのやりとり、接続デバイスであるUSBメモリ部２へのアドレスの割り当て等が実行される。【００４５】
そしてＣＰＵ４１は、認証プログラムを実行する。即ちＣＰＵ４１は、図６に示すようにディスプレイ４５に閲覧パスワードの入力画面を表示させる(ステップＳ５０２)。当該医師は、ディスプレイ４５に表示された入力画面を見ながら、キーボードやマウス等の指示入力手段４６を用いて閲覧パスワードを入力する。次に閲覧パスワードの入力が完了すると(ステップＳ５０３でＹＥＳ)、ＣＰＵ４１は、入力された閲覧パスワードと閲覧パスワード記憶領域２４１に記憶されている閲覧パスワードとを比較して(ステップＳ５０４)、一致した場合には(ステップＳ５０５でＹＥＳ)、患者基本情報記憶領域２４２及び患者医療情報記憶領域２４３へのアクセスを許可とする(ステップＳ５０６)。【００４６】
またパスワードが一致した場合には、ＣＰＵ４１は、新規カルテを登録するため、図７に示すようにディスプレイ４５に医療機関コード等の入力画面を表示させる(ステップＳ５０７)。当該医師は、ディスプレイ４５に表示された医療機関コード等の入力画面を見ながら、キーボードやマウス等の指示入力手段４６を用いて医療機関コード等を入力する。次に医療機関コード等の入力が完了すると(ステップＳ５０８でＹＥＳ)、ＣＰＵ４１は、登録された新規カルテに書き込みパスワードを設定するため、ディスプレイ４５に書き込みパスワードの入力画面を表示させる(ステップＳ５０９)。当該医師は、ディスプレイ４５に表示された書き込みパスワードの入力画面を見ながら、キーボードやマウス等の指示入力手段４６を用いて書き込みパスワードを入力する。次に書き込みパスワードの入力が完了すると(ステップＳ５１０でＹＥＳ)、ＣＰＵ４１は、登録された新規カルテに医療情報を入力させるため、図８に示すようにディスプレイ４５にカルテ入力画面を表示させる(ステップＳ５１１)。当該医師は、ディスプレイ４５に表示されたカルテ入力画面を見ながら、キーボードやマウス等の指示入力手段４６を用いて医療情報を入力する。ＣＰＵ４１は、医療情報の入力が完了すると(ステップＳ５１２でＹＥＳ)、暗号化プログラムを用いて、当該カルテに含まれる医療情報を暗号化した上で(ステップＳ５１３)、患者医療情報記憶領域２４３に記憶する(ステップＳ５１４)。【００４７】
次に、患者(本人)、医療機関、消防(救急救命)、警察、自治体(国、県、市町村、自衛隊)等が、USBメモリ部２に記憶された患者の基本情報及び医療情報を閲覧する場合について図９を用いて説明する。例えば患者(本人)が、医療情報カードＡのUSBメモリ部２を回動させて、USBコネクタ２１を、自宅PC等の情報処理装置４のインタフェイス４７であるUSB接続端子に接続する。制御部２３がUSBインタフェイス２２を通じて情報処理装置４にUSBメモリ部２が接続されたことを認識すると(ステップＳ９０１でＹＥＳ)、制御部２３は認証プログラム記憶領域２４４から認証プログラムを呼び出すと共に、暗号化プログラム記憶領域２４５から暗号化プログラムを呼び出して、情報処理装置４に出力する。情報処理装置４のＣＰＵ４１は、受信した認証プログラム及び暗号化プログラムをＲＡＭ４２に一時的に記憶させる。【００４８】
そしてＣＰＵ４１は、認証プログラムを実行する。即ちＣＰＵ４１は、図６に示すようにディスプレイ４５に閲覧パスワードの入力画面を表示させる(ステップＳ９０２)。当該患者は、ディスプレイ４５に表示された入力画面を見ながら、キーボードやマウス等の指示入力手段４６を用いて閲覧パスワードを入力する。次に閲覧パスワードの入力が完了すると(ステップＳ９０３でＹＥＳ)、ＣＰＵ４１は、入力された閲覧パスワードと閲覧パスワード記憶領域２４１に記憶されている閲覧パスワードとを比較して(ステップＳ９０４)、一致した場合には(ステップＳ９０５でＹＥＳ)、患者基本情報記憶領域２４２及び患者医療情報記憶領域２４３へのアクセスを許可とする(ステップＳ９０６)。【００４９】
具体的には一致した場合に、ＣＰＵ４１は、USBメモリ部２の患者基本情報記憶領域２４２に記憶されている患者の基本情報や患者医療情報記憶領域２４３に記憶されている医療情報を呼び出して、暗号化プログラムを用いて、当該情報を復号化する。そして、ＣＰＵ４１は、ＲＡＭ４２に当該情報を一時記憶させた上で、ディスプレイ４５上に表示させる。【００５０】
次に、以前に患者の医療情報を入力した医師等が、USBメモリ部２の患者医療情報記憶領域２４３に記憶された医療情報を修正又は追記する場合について図１０を用いて説明する。なお、医療機関の医師等が患者基本情報記憶領域２４２に記憶された患者の基本情報を修正又は追記する場合については、医療情報を修正又は追記する場合と同様であるため、説明を省略する。【００５１】
例えば医療機関の医師が、医療情報カードＡのUSBメモリ部２を回動させて、USBコネクタ２１を、電子カルテ入力用PC等の情報処理装置４のインタフェイス４７であるUSB接続端子に接続する。【００５２】
制御部２３がUSBインタフェイス２２を通じて情報処理装置４にUSBメモリ部２が接続されたことを認識すると(ステップＳ１００１でＹＥＳ)、制御部２３は認証プログラム記憶領域２４４から認証プログラムを呼び出すと共に、暗号化プログラム記憶領域２４５から暗号化プログラムを呼び出して、情報処理装置４に出力する。情報処理装置４のＣＰＵ４１は、受信した認証プログラム及び暗号化プログラムをＲＡＭ４２に一時的に記憶させる。【００５３】
そしてＣＰＵ４１は、認証プログラムを実行する。即ちＣＰＵ４１は、図６に示すようにディスプレイ４５に閲覧パスワードの入力画面を表示させる(ステップＳ１００２)。当該医師は、ディスプレイ４５に表示された入力画面を見ながら、キーボードやマウス等の指示入力手段４６を用いて閲覧パスワードを入力する。次に閲覧パスワードの入力が完了すると(ステップＳ１００３でＹＥＳ)、ＣＰＵ４１は、入力された閲覧パスワードと閲覧パスワード記憶領域２４１に記憶されている閲覧パスワードとを比較して(ステップＳ１００４)、一致した場合には(ステップＳ１００５でＹＥＳ)、患者基本情報記憶領域２４２及び患者医療情報記憶領域２４３へのアクセスを許可とする(ステップＳ１００６)。【００５４】
またパスワードが一致した場合には、ＣＰＵ４１は、当該医師が以前に入力した医療情報が記録されたカルテを検索するため、図７に示すようにディスプレイ４５に医療機関コード等の入力画面を表示させる(ステップＳ１００７)。当該医師は、ディスプレイ４５に表示された医療機関コード等の入力画面を見ながら、キーボードやマウス等の指示入力手段４６を用いて医療機関コード等を入力する。次に医療機関コード等の入力が完了すると(ステップＳ１００８でＹＥＳ)、ＣＰＵ４１は、該当するカルテを呼び出す(ステップＳ１００９)。そして、ＣＰＵ４１はディスプレイ４５に書き込みパスワードの入力画面を表示させる(ステップＳ１０１０)。当該医師は、ディスプレイ４５に表示された書き込みパスワードの入力画面を見ながら、キーボードやマウス等の指示入力手段４６を用いて書き込みパスワードを入力する。次に書き込みパスワードの入力が完了すると(ステップＳ１０１１でＹＥＳ)、ＣＰＵ４１は、入力された書き込みパスワードと呼び出したカルテに設定されている書き込みパスワードとを比較して(ステップＳ１０１２)、一致した場合には(ステップＳ１０１３でＹＥＳ)、当該カルテに医療情報の書き込みを許可する(ステップＳ１０１４)。即ち、ＣＰＵ４１は、当該カルテに医療情報を入力させるため、図８に示すようにディスプレイ４５に当該カルテのカルテ入力画面を表示させる。当該医師は、ディスプレイ４５に表示されたカルテ入力画面を見ながら、キーボードやマウス等の指示入力手段４６を用いて医療情報を追記又は修正する。【００５５】
なお、本実施例においては、USBメモリ部２に医療情報等を記憶させる際には、医師等がキーボードやマウス等の指示入力手段４６を用いて入力する構成を示したが、この構成に限定されるわけではない。例えば、情報処理装置４から必要なデータを出力させ、これを取り込む構成としても良い。この構成について以下、具体的に説明する。【００５６】
図１１に示すように、医療機関に設置されている端末ＰＣ等の情報処理装置４は、医療機関のサーバ等の情報処理装置１２（患者情報を管理する情報処理装置の一例）に、ネットワーク１４を用いて接続されている。情報処理装置１２は、当該医療機関に係る各患者情報を管理する。情報処理装置１２には、当該医療機関に係る各患者の基本情報及び医療情報が記憶されている患者情報記憶手段１２１（患者情報記憶手段の一例）が設けられている。患者情報記憶手段１２１には、厚生労働省電子的診療情報交換推進事業（SS-MIX; Standardized Structured Medical Information Exchange）において取り決められた標準化ストレージに基づいて、各患者の基本情報や各患者のカルテ等の医療情報が記憶されている。また、患者情報記憶手段１２１には、各患者に係る診療報酬明細書や調剤報酬明細書等のレセプト等の患者情報が記憶されている。【００５７】
また、ネットワーク１４は、典型的には、ＬＡＮ（Local Area Network）であるが、有線／無線を問わずデータ送受信可能な回線であればどのような構成でもよい。例えば、公衆回線（アナログ回線、ＩＳＤＮ（Integrated Services Digital Network）等）やＷＡＮ（Wide Area Network）、無線ＬＡＮ等により構成してもよい。なお、ネットワーク１４上の通信プロトコルは、例えば、ＴＣＰ／ＩＰ（Transmission Control Protocol/Internet Protocol）等を採用することができる。【００５８】
次に、情報処理装置１２に記憶されている患者医療情報を、情報処理装置４を用いて、USBメモリ部２の患者医療情報記憶領域２４３に記憶させる場合の流れについて図５及び図１２を用いて説明する。なお、医療機関の医師等が患者基本情報記憶領域２４２に患者の基本情報を記憶させる場合については、医療情報を書き込む場合と同様であるため、説明を省略する。また、下記では医師が新規カルテに医療情報を記憶させる場合を用いて流れを説明するが、医師が既に記憶されているカルテに医療情報を追記する場合も同様であるため、説明を省略する。【００５９】
例えば患者(本人)を診察した医師は、医療情報カードAのUSBメモリ部２を回動させて、電子カルテ入力用PC等の情報処理装置４のインタフェイス４７であるUSB接続端子にUSBコネクタ２１を接続する。【００６０】
制御部２３がUSBインタフェイス２２を通じて情報処理装置４にUSBメモリ部２が接続されたことを認識すると(ステップＳ５０１でＹＥＳ)、制御部２３は認証プログラム記憶領域２４４から認証プログラムを呼び出すと共に、暗号化プログラム記憶領域２４５から暗号化プログラムを呼び出して、情報処理装置４に出力する。情報処理装置４のＣＰＵ４１は、受信した認証プログラム及び暗号化プログラムをＲＡＭ４２に一時的に記憶させる。【００６１】
そしてＣＰＵ４１は、認証プログラムを実行する。即ちＣＰＵ４１は、図６に示すようにディスプレイ４５に閲覧パスワードの入力画面を表示させる(ステップＳ５０２)。当該医師は、ディスプレイ４５に表示された入力画面を見ながら、キーボードやマウス等の指示入力手段４６を用いて閲覧パスワードを入力する。次に閲覧パスワードの入力が完了すると(ステップＳ５０３でＹＥＳ)、ＣＰＵ４１は、入力された閲覧パスワードと閲覧パスワード記憶領域２４１に記憶されている閲覧パスワードとを比較して(ステップＳ５０４)、一致した場合には(ステップＳ５０５でＹＥＳ)、患者基本情報記憶領域２４２及び患者医療情報記憶領域２４３へのアクセスを許可とする(ステップＳ５０６)。【００６２】
またパスワードが一致した場合には、ＣＰＵ４１は、新規カルテを登録するため、図７に示すようにディスプレイ４５に医療機関コード等の入力画面を表示させる(ステップＳ５０７)。当該医師は、ディスプレイ４５に表示された医療機関コード等の入力画面を見ながら、キーボードやマウス等の指示入力手段４６を用いて医療機関コード等を入力する。次に医療機関コード等の入力が完了すると(ステップＳ５０８でＹＥＳ)、ＣＰＵ４１は、登録された新規カルテに書き込みパスワードを設定するため、ディスプレイ４５に書き込みパスワードの入力画面を表示させる(ステップＳ５０９)。当該医師は、ディスプレイ４５に表示された書き込みパスワードの入力画面を見ながら、キーボードやマウス等の指示入力手段４６を用いて書き込みパスワードを入力する。次に書き込みパスワードの入力が完了すると(ステップＳ５１０でＹＥＳ)、ＣＰＵ４１は、登録された新規カルテに医療情報を入力させるため、図８に示すようにディスプレイ４５にカルテ入力画面を表示させる(ステップＳ５１１)。次に図１２に示すように、当該医師は、キーボードやマウス等の指示入力手段４６を用いて、情報取り込み用の画面を表示させ(ステップＳ１２０１)、当該患者に係る診察券番号等の患者識別情報を入力する。次に患者識別情報の入力が完了すると(ステップＳ１２０２でＹＥＳ)、ＣＰＵ４１は、患者識別情報に基づいて、患者情報記憶手段１２１に記憶されている患者医療情報を検索し、当該患者識別情報に係る患者医療情報を呼び出す(ステップＳ１２０３)。ＣＰＵ４１は、受信情報記憶領域２４７を記憶部２４内の空いている領域に作成する(ステップＳ１２０４)。ＣＰＵ４１は、呼び出した患者医療情報を、受信情報記憶領域２４７に記憶させる(ステップＳ１２０５)。ＣＰＵ４１は、受信情報記憶領域２４７に記憶されている患者医療情報を呼び出すと共に、変換テーブル記憶領域４４２に記憶されている変換テーブルを参照し、呼び出した患者医療情報の中から特定の項目を抜き出して、XML等の特定の形式に変換する(ステップＳ１２０６)。ＣＰＵ４１は、XML等の特定の形式に変換した患者医療情報を患者医療情報記憶領域２４３に記憶させる(ステップＳ１２０７)。【００６３】
ステップＳ１２０６について、具体的に例をあげて説明する。受信情報記憶領域２４７に記憶されている患者医療情報は、データの種別（例えば、食事、処方、注射、検査）毎に区分けされている。そこでＣＰＵ４１は、図１３に示すように、受信情報記憶領域２４７に記憶されている患者医療情報の中から処方に係る医療情報を呼び出す。また、変換テーブル記憶領域４４２に記憶されている変換テーブル（ここでは、「項目：処方」の部分）を参照する。そして、「薬情報」の項目として「ジゴシン１０００倍散『中外』」を抜き出して、XML等の特定の形式に変換する。また、「１回の服用量」の項目として「０．２mg」を抜き出して、XML等の特定の形式に変換する。また、「１日量」の項目として「１日１回  朝食後」を抜き出して、XML等の特定の形式に変換する。また「投薬日数」の項目として「５日分」を抜き出して、XML等の特定の形式に変換する。また、「投与開始日」の項目として「２００５年１１月２６日」を抜き出して、XML等の特定の形式に変換する。また、「投与終了日」の項目として「２００５年１１月３０日」を抜き出して、XML等の特定の形式に変換する。また、「登録者コード」の項目として「ishi01」を抜き出して、XML等の特定の形式に変換する。また、「登録者コード」の項目として「ishi01 北島康介」を抜き出して、XML等の特定の形式に変換する。また、「登録者日時」の項目として「２００５年１１月２６日」を抜き出して、XML等の特定の形式に変換する。【００６４】
このように本実施例の構成によれば、病院等の各医療機関で導入されている医療情報システムが異なる場合であっても、各医療情報システムから電子的に出力された患者情報をXML等の特定の形式に変換することができる。
【実施例２】
【００６５】
＜医療情報カードＢの構成＞
本実施例に係る医療情報カードＢの構成を、図１４を用いて説明する。
医療情報カードＢは、主としてカード部１と、ＵＳＢメモリ部６とからなる。なお、図１４(a)では医療情報カードＢをユーザの首から掛けられるようにカード部１にネックストラップ３が取り付けられている。そして医療情報カードＢを携帯する際等には、図１４(a)に示すようにUSBメモリ部６をカード部１の裏側に折り畳む。そして、PC(＝Personal Computer)等の情報処理装置８に接続する際には、図１４(b)に示すようにUSBメモリ部６を回動させてUSBコネクタ６１を突出させる。このように、USBメモリ部６をカード部に折り畳んで格納できるため、水等にぬれてもUSBメモリ部６の故障を防ぐことができる。【００６６】
＜USBメモリ部６の構成＞
次に、USBメモリ部６の構成を、図１５を用いて説明する。USBメモリ部６は、主としてUSBコネクタ６１と、USBインタフェイス６２と、制御部６３と、記憶部６４と、これらUSBメモリ部６の内部に備えられている各機器を接続するバス６５とから構成され、これらは例えば同一の半導体基板上に形成されている。このように、本実施例においては、記憶媒体としてUSBメモリを用いる構成としたため、当該記憶媒体に記憶されている患者の医療情報等を閲覧、入力するために、専用の機器を用意する必要がなく、USB接続端子を備えた汎用PC等を用いることができる。USB接続端子を備えた汎用のPCであれば、患者、医療機関等で既に所有しているため、新たな機器を導入する必要がなく、便宜である。【００６７】
USB(＝Universal Serial Bus)コネクタ６１は、情報処理装置８との接続端子として機能する。【００６８】
USBインタフェイス６２は、USBコネクタ６１を介して、情報処理装置８から出力されたデータやコマンドを受信する。また、USBインタフェイス６２は記憶部６４から読み出されたデータやプログラム等を、USBコネクタ６１を介して情報処理装置８へ出力する。【００６９】
制御部６３は、例えばＬＳＩ(＝集積回路)である。制御部６３は、情報処理装置８から受信したコマンドに応じて、記憶部６４に記憶されているデータ及びプログラムを呼び出して情報処理装置８に出力する。また制御部６３は、情報処理装置８から受信したデータを記憶部６４に記憶させる。また、制御部６３は記憶部６４と情報処理装置８との間におけるUSB接続に関する各種設定・制御を行うための通信も実行する。【００７０】
記憶部６４は、例えば２GBあるいは４GBのフラッシュメモリであり、制御部６３からのコマンドに従ってデータを読み出して出力すると共に、情報処理装置８から受信したデータを記憶する。記憶部６４について、詳細は後述する。【００７１】
＜情報処理装置８の構成＞
次に、情報処理装置８の構成について説明する。情報処理装置８は、例えばデスクトップ型のPC、ノートブック型のPC、タブレット型のPC、PDA(＝Personal Digital Assistant)であって、患者本人や、医療機関の医療従事者及び事務職員や、救急救命活動を行う救命士・消防士・警察官・自衛官・自治体職員等が用いるものである。情報処理装置８は、図１６に示すように少なくとも、ＣＰＵ８１（制御手段の一例）、ＲＡＭ８２、ＲＯＭ８３、ＨＤ８４、ディスプレイ８５、指示入力手段８６（指示入力手段の一例）、インタフェイス８７、これらの機器を接続するバス８８を有している。【００７２】
ＣＰＵ(＝Central Processing Unit)８１は、ＨＤ８４等に記憶されているアプリケーションプログラム、オペレーティングシステム（ＯＳ）や制御プログラム等を実行し様々な機能を実現する。また、ＲＡＭ８２にプログラムの実行に必要な情報、ファイル等を一時的に記憶する制御を行う。また、ＣＰＵ８１はUSBメモリ部６から呼び出した認証プログラム、暗号化プログラム、情報呼出プログラムをＲＡＭ８２に一時的に記憶させ、当該プログラムを実行する。また、ＣＰＵ８１はＨＤ８４から呼び出した変換プログラムをＲＡＭ８２に一時的に記憶させ、当該プログラムを実行する。また、ＣＰＵ８１はUSBメモリ部６から受信した患者の基本情報や医療情報等をＲＡＭ８２に一時的に記憶させ、当該情報をディスプレイ８５に表示させる。また、ＣＰＵ８１はキーボードやマウス等の指示入力手段８６を用いて入力された情報をUSBメモリ部６に出力する。また、ＣＰＵ８１はインタフェイス８７を通じて受信した情報をUSBメモリ部６に出力する。【００７３】
ＲＡＭ(＝Random Access Memory)８２は各種データ、プログラム等を一時的に記憶するためのものであり、ＣＰＵ８１の主メモリ、ワークエリア等として機能する。ＲＯＭ８３は、内部に基本Ｉ／Ｏプログラム等のプログラム、基本処理において使用する各種データ等を記憶する。【００７４】
ＨＤ(＝ハードディスク)８４は補助記憶装置であり、大容量メモリとして機能する。ＨＤ８４には、アプリケーションプログラム、ＯＳ、制御プログラム、関連プログラム等を記憶する。またＨＤ８４には、変換プログラム記憶領域８４１及び変換テーブル記憶領域４４２（変換テーブル記憶手段の一例）が設けられている。【００７５】
＜変換プログラム記憶領域８４１の構成＞
変換プログラム記憶領域８４１には、受信情報記憶領域６５８に記憶されている医療情報を、例えばXML（＝eXtensible Markup Language）等の特定の形式に変換する変換プログラムが記憶されている。変換プログラムの構成について、以下、詳しく説明する。【００７６】
変換プログラムは、情報処理装置８のＣＰＵ８１に、受信情報記憶領域２４７を記憶部６４内の空いている領域に作成させるステップを有する。なお、この受信情報記憶領域２４７は、引数（type、ver、pid、path）に従って作成される。また、変換プログラムは、情報処理装置８のＣＰＵ８１に、医療機関のサーバ等の情報処理装置１２の患者情報記憶手段１２１から呼び出した患者基本情報及び患者医療情報を、受信情報記憶領域２４７に記憶させるステップを有する。また、変換プログラムは、情報処理装置８のＣＰＵ８１に、受信情報記憶領域２４７に記憶されている患者基本情報又は患者医療情報を呼び出させると共に、変換テーブル記憶領域４４２に記憶されている変換テーブルを参照させ、呼び出した当該患者基本情報又は患者医療情報の中から特定の項目を抜き出させて、XML等の特定の形式に変換させるステップを有する。また、変換プログラムは、情報処理装置８のＣＰＵ８１に、XML等の特定の形式に変換した患者基本情報又は患者医療情報を、患者基本情報記憶領域６４５又は患者サマリー情報記憶領域６４６から患者介護情報記憶領域６５１までのいずれかの記憶領域に記憶させるステップを有する。【００７７】
ディスプレイ８５は、表示手段としての役割を果たし、例えば液晶ディスプレイ、有機ELディスプレイ、CRT、プラズマディスプレイであり、指示入力手段８６から入力されたコマンドや、それに対する情報処理装置８の応答出力等を表示するものである。また特に、ディスプレイ８５は、患者の基本情報や医療情報を表示する。【００７８】
指示入力手段８６は、例えば、キーボードやポインティングデバイス（マウス等）、タッチパネルである。ユーザは指示入力手段８６を用いて、情報処理装置８に対して、情報処理装置８を制御するコマンド等を入力指示する。また、指示入力手段８６は、医療機関等のユーザから診察券番号等の患者識別情報の入力を受け付ける。８７はインタフェイスであり、このインタフェイス８７を介して他の装置とのデータのやり取りを行う。なお、情報処理装置８は少なくとも、インタフェイス８７として、USBメモリ部６のUSBコネクタ６１と接続し、USBメモリ部６とデータのやり取りを行うためのUSB接続端子を有している。【００７９】
＜記憶部６４の構成＞
次に記憶部６４の構成を説明する。図１７に示すように、記憶部６４には、閲覧パスワード記憶領域６４１、認証プログラム記憶領域６４２、暗号化プログラム記憶領域６４３、ログイン履歴記憶領域６４４、患者基本情報記憶領域６４５、患者サマリー情報記憶領域６４６、患者処方情報記憶領域６４７、患者検査情報記憶領域６４８、患者注射情報記憶領域６５０、患者介護情報記憶領域６５１、患者予約情報記憶領域６５３、患者本人服用情報記憶領域６５４、医療機関基本情報記憶領域６５５、アクセス制御情報記憶領域６５６、情報呼出プログラム記憶領域２４６、受信情報記憶領域２４７が設けられている。【００８０】
＜閲覧パスワード記憶領域６４１の構成＞
閲覧パスワード記憶領域６４１には、図１８に示すように閲覧パスワードとして、患者(＝本人)、医療機関、消防(救急救命)、警察、自治体(国、県、市町村、自衛隊)等のユーザを夫々識別する識別コード及び各識別コードに対応するユーザ名称が記憶されている。閲覧パスワードは、具体的には例えば、７桁のアルファベット及び数字の組み合わせである。【００８１】
＜認証プログラム記憶領域６４２の構成＞
認証プログラム記憶領域６４２には、認証プログラムが記憶されている。認証プログラムの構成について、以下、詳しく説明する。【００８２】
認証プログラムは、図１９に示すような閲覧パスワードの入力画面を、情報処理装置８に表示させるステップを有する。また、認証プログラムは、指示入力手段８６を通じて閲覧パスワードの入力を受け付けると、情報処理装置８に閲覧パスワード記憶領域６４１に記憶されている閲覧パスワードを呼び出して参照させ、入力された閲覧パスワードと一致するか否かを判断させるステップを有する。【００８３】
＜医療機関がログインした場合＞
また、認証プログラムは、入力された閲覧パスワードが、閲覧パスワード記憶領域６４１に記憶されたいずれかの閲覧パスワードと一致し、入力された当該閲覧パスワードが、医療機関を示すパスワードである場合には、情報処理装置８に、図２０に示すような医療機関ID（＝医療機関識別情報）の入力画面を表示させるステップを有する。また、認証プログラムは、医療機関基本情報記憶領域６５５に医療機関IDが記憶されていない医療機関の場合には、情報処理装置８に図２１に示すような入力画面を表示させ、医療機関の名称、電話番号、所在地、診療科、担当医等の医療機関基本情報の入力を受け付けさせるステップを有する。また、認証プログラムは、情報処理装置８に、指示入力手段８６を通じて受け付けた医療機関基本情報を医療機関基本情報記憶領域６５５に記憶させるステップを有する。【００８４】
また、認証プログラムは、指示入力手段８６を通じて医療機関ID等の入力を受け付けると、情報処理装置８に、医療機関基本情報記憶領域６５５に記憶されている各医療機関IDを呼び出して参照させ、入力された医療機関IDと一致するか否かを判断させるステップを有する。また、認証プログラムは、入力された医療機関IDが医療機関基本情報記憶領域６５５に記憶されているいずれかの医療機関IDと一致した場合には、情報処理装置８に、入力された閲覧パスワード及び医療機関IDをログイン受付時と共にログイン履歴記憶領域６４４に記憶させるステップを有する。また、認証プログラムは、入力された医療機関IDが医療機関基本情報記憶領域６５５に記憶されているいずれかの医療機関IDと一致した場合には、情報処理装置８に、アクセス制御情報記憶領域６５６を参照させ、医療機関に係るアクセス制御情報に基づいて、医療機関による患者基本情報記憶領域６４５から患者本人服用情報記憶領域６５４までの各記憶領域へのアクセスを制御させるステップを有する。【００８５】
即ち、認証プログラムは、情報処理装置８に、アクセス制御情報記憶領域６５６を参照させ、患者処方情報記憶領域６４７から患者介護情報記憶領域６５１までの各記憶領域に医療機関ID毎に区分けされて記憶されている医療情報のうち、図２２に示すような当該医療機関IDに係る医療情報を呼び出して表示させるステップを有する。また、認証プログラムは、情報処理装置８に、アクセス制御情報記憶領域６５６を参照させ、患者基本情報記憶領域６４５に記憶されている患者基本情報を呼び出して表示させるステップを有する。また、認証プログラムは、情報処理装置８に、アクセス制御情報記憶領域６５６を参照させ、図２３に示すような患者サマリー情報記憶領域６４６に記憶されている医療情報を呼び出して表示させるステップを有する。【００８６】
また、認証プログラムは、患者処方情報記憶領域６４７から患者介護情報記憶領域６５１までの各記憶領域中の当該医療機関IDに割り当てられたいずれかの記憶領域に対する、指示入力手段８６を通じた医療情報の入力を受け付けると、情報処理装置８に、アクセス制御情報記憶領域６５６を参照させ、該当する記憶領域に当該医療情報を記憶させるステップを有する。【００８７】
また、認証プログラムは、患者基本情報記憶領域６４５に対する、指示入力手段８６を通じた患者基本情報の入力を受け付けると、情報処理装置８に、アクセス制御情報記憶領域６５６を参照させ、患者基本情報記憶領域６４５に当該患者基本情報を記憶させるステップを有する。また、認証プログラムは、患者サマリー情報記憶領域６４６に対する、指示入力手段８６を通じた医療情報の入力を受け付けると、情報処理装置８に、アクセス制御情報記憶領域６５６を参照させ、患者サマリー情報記憶領域６４６に当該医療情報を記憶させるステップを有する。【００８８】
また、認証プログラムは、指示入力手段８６を通じて、患者処方情報記憶領域６４７又は患者検査情報記憶領域６４８に記憶されている医療情報を表示する旨のコマンドを受け付けると、情報処理装置８に、アクセス制御情報記憶領域６５６を参照させ、患者処方情報記憶領域６４７又は患者検査情報記憶領域６４８に記憶されている医療情報を表示させるステップを有する。また、認証プログラムは、患者処方情報記憶領域６４７又は患者検査情報記憶領域６４８に対する、指示入力手段８６を通じた医療情報の入力を受け付けると、情報処理装置８に、アクセス制御情報記憶領域６５６を参照させ、患者処方情報記憶領域６４７又は患者検査情報記憶領域６４８に当該医療情報を記憶させず、エラーとさせるステップを有する。【００８９】
また、認証プログラムは、指示入力手段８６を通じて、ログイン履歴記憶領域６４４に記憶されているログイン履歴を表示する旨のコマンドを受け付けると、情報処理装置８に、アクセス制御情報記憶領域６５６を参照させ、ログイン履歴記憶領域６４４に記憶されているログイン履歴を呼び出して表示させるステップを有する。【００９０】
＜消防（救急救命）等がログインした場合＞
また、認証プログラムは、入力された閲覧パスワードが、閲覧パスワード記憶領域６４１に記憶されたいずれかの閲覧パスワードと一致し、入力された当該閲覧パスワードが、消防（救急救命）、警察、自治体のいずれかを示すパスワードである場合には、情報処理装置８に、入力された閲覧パスワードをログイン受付時と共にログイン履歴記憶領域６４４に記憶させるステップを有する。また、認証プログラムは、入力された閲覧パスワードが、閲覧パスワード記憶領域６４１に記憶されたいずれかの閲覧パスワードと一致し、入力された当該閲覧パスワードが、消防（救急救命）、警察、自治体のいずれかを示すパスワードである場合には、情報処理装置８に、アクセス制御情報記憶領域６５６を参照させ、消防（救急救命）等に係るアクセス制御情報に基づいて、消防（救急救命）等による患者基本情報記憶領域６４５から患者本人服用情報記憶領域６５４までの各記憶領域へのアクセスを制御させるステップを有する。【００９１】
即ち、認証プログラムは、情報処理装置８に、アクセス制御情報記憶領域６５６を参照させ、図２３に示すような患者サマリー情報記憶領域６４６に記憶されている医療情報を呼び出して表示させるステップを有する。また、認証プログラムは、患者サマリー情報記憶領域６４６に対する、指示入力手段８６を通じた医療情報の入力を受け付けると、情報処理装置８に、アクセス制御情報記憶領域６５６を参照させ、患者サマリー情報記憶領域６４６に当該医療情報を記憶させず、エラーとさせるステップを有する。【００９２】
＜患者本人がログインした場合＞
また、認証プログラムは、入力された閲覧パスワードが、閲覧パスワード記憶領域６４１に記憶されたいずれかの閲覧パスワードと一致し、入力された当該閲覧パスワードが、患者本人を示すパスワードである場合には、情報処理装置８に、入力された閲覧パスワードをログイン受付時と共にログイン履歴記憶領域６４４に記憶させるステップを有する。また、認証プログラムは、入力された閲覧パスワードが、閲覧パスワード記憶領域６４１に記憶されたいずれかの閲覧パスワードと一致し、入力された当該閲覧パスワードが、患者本人を示すパスワードである場合には、情報処理装置８に、アクセス制御情報記憶領域６５６を参照させ、患者本人に係るアクセス制御情報に基づいて、患者本人による患者基本情報記憶領域６４５から患者本人服用情報記憶領域６５４までの各記憶領域へのアクセスを制御させるステップを有する。【００９３】
即ち、認証プログラムは、情報処理装置８に、アクセス制御情報記憶領域６５６を参照させ、患者基本情報記憶領域６４５に記憶されている患者基本情報と、患者予約情報記憶領域６５３に記憶されている患者予約情報と、患者本人服用情報記憶領域６５４に記憶されている患者本人服用情報とを呼び出して表示させるステップを有する。【００９４】
また、認証プログラムは、患者基本情報記憶領域６４５に対する、指示入力手段８６を通じた患者基本情報の入力を受け付けると、情報処理装置８に、アクセス制御情報記憶領域６５６を参照させ、患者基本情報記憶領域６４５に当該患者基本情報を記憶させるステップを有する。また、認証プログラムは、患者予約情報記憶領域６５３に対する、指示入力手段８６を通じた患者予約情報の入力を受け付けると、情報処理装置８に、アクセス制御情報記憶領域６５６を参照させ、患者予約情報記憶領域６５３に当該患者予約情報を記憶させるステップを有する。また、認証プログラムは、患者本人服用情報記憶領域６５４に対する、指示入力手段８６を通じた患者本人服用情報の入力を受け付けると、情報処理装置８に、アクセス制御情報記憶領域６５６を参照させ、患者本人服用情報記憶領域６５４に当該患者本人服用情報を記憶させるステップを有する。【００９５】
また、認証プログラムは、指示入力手段８６を通じて、患者サマリー情報記憶領域６４６に記憶されている医療情報を表示する旨のコマンドを受け付けると、情報処理装置８に、アクセス制御情報記憶領域６５６を参照させ、図２３に示すような患者サマリー情報記憶領域６４６に記憶されている医療情報を呼び出して表示させるステップを有する。また、認証プログラムは、患者サマリー情報記憶領域６４６に対する、指示入力手段８６を通じた医療情報の入力を受け付けると、情報処理装置８に、アクセス制御情報記憶領域６５６を参照させ、患者サマリー情報記憶領域６４６に当該医療情報を記憶させず、エラーとさせるステップを有する。【００９６】
また、認証プログラムは、指示入力手段８６を通じて、ログイン履歴記憶領域６４４に記憶されているログイン履歴を表示する旨のコマンドを受け付けると、情報処理装置８に、アクセス制御情報記憶領域６５６を参照させ、ログイン履歴記憶領域６４４に記憶されているログイン履歴を呼び出して表示させるステップを有する。【００９７】
＜暗号化プログラム記憶領域６４３の構成＞
暗号化プログラム記憶領域６４３には、RSA、AES(＝Advanced Encryption Standard)、DES(＝Data Encryption Standard)等の暗号化プログラムが記憶されている。特に、USBメモリ部６に記憶されているデータのコピーを防止すると共に、USBメモリ部６が情報処理装置８に接続されている際に、インターネット等のネットワークを通じたUSBメモリ部６への不正アクセスを防止するため、暗号化プログラムとして「AES-CBC-256」が記憶されている構成が望ましい。【００９８】
＜ログイン履歴記憶領域６４４の構成＞
ログイン履歴記憶領域６４４には、図２４に示すように、認証プログラムにログインした医療機関等によって入力された閲覧パスワード（＝識別コード）と、ログインを受け付けたログイン受付時が記憶されている。
また、ログインの主体が医療機関の場合には、閲覧パスワードだけでなく、各医療機関を識別する医療機関IDが記憶されている。更に、図２４に示すように利用者コードを記憶させることもできる。利用者コードは、例えば「外科のＡ先生」というように、当該医療機関の利用者を特定するものである。このように、ログイン履歴記憶領域６４４に入力された閲覧パスワード及びログイン日時と、医療機関の場合には医療機関ID等が記憶されているため、ログイン履歴記憶領域６４４を閲覧するだけで、認証プログラムにログインした主体と、ログイン日時を把握することが可能となる。【００９９】
＜患者基本情報記憶領域６４５の構成＞
患者基本情報記憶領域６４５には、患者の基本情報が記憶されている。患者の基本情報には、具体的には例えば、患者の氏名、顔写真、生年月日、性別、血液型、住所、緊急連絡先、健康保険番号、電話番号(自宅、会社、携帯)、緊急時に個人資格を証明できる情報(＝自動車免許証番号・パスポート番号等)が含まれる。【０１００】
＜患者サマリー情報記憶領域６４６の構成＞
患者サマリー情報記憶領域６４６には、患者サマリー情報記憶領域６４６に記憶されている医療情報を閲覧するだけで、患者の概況を把握できるように、例えば、患者サマリー情報として、既往歴、禁忌・アレルギー、常備薬等の医療情報が記憶されている。【０１０１】
＜患者処方情報記憶領域６４７の構成＞
患者処方情報記憶領域６４７には、図２５に示すように当該患者に対して医療従事者が行った処方に関する医療情報が記憶されている。処方に関する医療情報とは、例えば、当該患者に処方した薬の種類、薬の量、処方した日付、処方した医療従事者の氏名である。処方に関するこれらの医療情報は、医療機関毎に区分けして記憶されており、各医療機関IDに関連付けて記憶されている。【０１０２】
＜患者検査情報記憶領域６４８の構成＞
患者検査情報記憶領域６４８には、図２６に示すように当該患者に対して医療従事者が行った検査に関する医療情報が記憶されている。検査に関する医療情報とは、例えば、当該患者が被検した検査の種類、検査結果、検査を行った日付、検査を行った医療従事者の氏名である。検査に関するこれらの医療情報は、医療機関毎に区分けして記憶されており、各医療機関IDに関連付けて記憶されている。【０１０３】
＜患者注射情報記憶領域６５０の構成＞
患者注射情報記憶領域６５０には、図２７に示すように当該患者に対して医療従事者が行った注射に関する医療情報が記憶されている。注射に関する医療情報とは、例えば、当該患者が受けた注射の種類、注射した薬の量、注射を行った日付、注射を行った医療従事者の氏名である。注射に関するこれらの医療情報は、医療機関毎に区分けして記憶されており、各医療機関IDに関連付けて記憶されている。【０１０４】
＜患者介護情報記憶領域６５１の構成＞
患者介護情報記憶領域６５１には、当該患者に係る介護に関する医療情報が記憶されている。介護に関する医療情報とは、例えば、介護保険番号、有効期限、要介護度、保険種別、年金種別、特養入所・ショートステイ・デイサービスといった利用サービス、認知症の程度、精神状態等である。介護に関するこれらの医療情報は、医療機関毎に区分けして記憶されており、各医療機関IDに関連付けて記憶されている。【０１０５】
＜患者予約情報記憶領域６５３の構成＞
患者予約情報記憶領域６５３には、図２８に示すように当該患者に係る医療機関の予約に関する医療情報が記憶されている。医療機関の予約に関する医療情報とは、例えば、予約した医療機関の名称、診療等の予約の日時、担当医等である。【０１０６】
＜患者本人服用情報記憶領域６５４の構成＞
患者本人服用情報記憶領域６５４には、図２９に示すように当該患者が自宅等で自ら服用した市販薬に関する医療情報が記憶されている。自ら服用した市販薬に関する医療情報とは、例えば、服用した薬の種類、服用した薬の量、服用日等である。【０１０７】
＜医療機関基本情報記憶領域６５５の構成＞
医療機関基本情報記憶領域６５５には、図３０に示すように各医療機関に係る基本情報が記憶されている。医療機関に係る基本情報とは、例えば、医療機関ID、医療機関の名称、電話番号、郵便番号、所在地、診療科、担当医等である。医療機関に係る基本情報は、医療機関毎に区分けして記憶されており、各医療機関IDに関連付けて記憶されている。【０１０８】
＜アクセス制御情報記憶領域６５６の構成＞
アクセス制御情報記憶領域６５６には、図３１に示すように医療機関、消防（救急救命）、患者本人といったユーザ毎に、患者基本情報記憶領域６４５、患者サマリー情報記憶領域６４６、患者処方情報記憶領域６４７、患者検査情報記憶領域６４８、患者注射情報記憶領域６５０、患者介護情報記憶領域６５１、患者予約情報記憶領域６５３、患者本人服用情報記憶領域６５４の各記憶領域について、閲覧（＝リード）/書き込み（＝ライト）を許可するか否かを示すアクセス制御情報が記憶されている。【０１０９】
本実施例においては、アクセス制御情報として、医療機関から患者基本情報記憶領域６４５又は患者サマリー情報記憶領域６４６に対しアクセスがあった場合、閲覧/書き込みを認める旨が記憶されている。また、本実施例においては、アクセス制御情報として、医療機関から患者処方情報記憶領域６４７及び患者検査情報記憶領域６４８のいずれかについてアクセスがあった場合、閲覧については、他の医療機関を含めて認める一方、書き込みについては、当該医療機関に係る医療情報についてのみ認める旨が記憶されている。また、本実施例においては、アクセス制御情報として、医療機関から患者注射情報記憶領域６５０及び患者介護情報記憶領域６５１のいずれかの記憶領域に対しアクセスがあった場合、当該医療機関に係る医療情報についてのみ閲覧/書き込みを認める旨が記憶されている。【０１１０】
本実施例においては、アクセス制御情報として、消防（救急救命）、警察、自治体(国、県、市町村、自衛隊)のいずれかから患者サマリー情報記憶領域６４６に対しアクセスがあった場合、閲覧を認める旨が記憶されている。【０１１１】
本実施例においては、アクセス制御情報として、患者本人から患者基本情報記憶領域６４５、患者予約情報記憶領域６５３、患者本人服用情報記憶領域６５４のいずれかの記憶領域に対しアクセスがあった場合、閲覧/書き込みを認める旨が記憶されている。また、本実施例においては、アクセス制御情報として、患者本人から患者サマリー情報記憶領域６４６に対しアクセスがあった場合、閲覧を認める旨が記憶されている。【０１１２】
なお、本実施例においては、ユーザを「医療機関」、「消防（救急救命）」、「警察」、「自治体(国、県、市町村、自衛隊)」、「患者本人」の５者とし、各ユーザについて、上述したアクセス制御情報がアクセス制御情報記憶領域６５６に記憶されている構成を示した。しかし、ユーザは上記の５者に限定されるものではなく、例えば「医療機関」と「患者本人」の２者であっても、上記の５者に「院外薬局」、「居宅介護支援事業所」、「訪問介護ステーション」、「ケアマネージャ」、「介護施設」、「生命保険会社」を加えて１１者としても良い。また、ユーザ毎のアクセス制御情報は、上述した構成に限定されるものではなく上述した構成は一例であって、例えば、医療機関に対するアクセス制御情報として、患者注射情報記憶領域６５０及び患者介護情報記憶領域６５１のいずれかについてアクセスがあった場合、閲覧のみを認める旨が記憶されている構成としても良い。また、警察及び自治体(国、県、市町村、自衛隊)に対するアクセス制御情報として、患者サマリー情報記憶領域６４６に対してアクセスがあった場合、閲覧及び書き込みを認めない旨が記憶されている一方、患者基本情報記憶領域６４５に対してアクセスがあった場合、閲覧を認める旨が記憶されている構成としても良い。【０１１３】
また、患者基本情報記憶領域６４５に記憶されている患者の基本情報や、患者サマリー情報記憶領域６４６から患者本人服用情報記憶領域６５４までの各記憶領域に記憶されている患者の医療情報は夫々、暗号化されて記憶されている。【０１１４】
＜情報処理装置８が実行する処理の流れ＞
次にUSBメモリ部６に記憶されている認証プログラム及び暗号プログラムを読み込んだ情報処理装置８が実行する処理の流れについて説明する。【０１１５】
＜医療機関がログインする場合＞
まず、医療機関の医師等が認証プログラムにログインする場合について図３２及び図３３を用いて説明する。例えば患者（本人）を診察した医師は、医療情報カードＢのUSBメモリ部６を回動させて、病院に設置されているデスクトップ型のＰＣ等の情報処理装置８のインタフェイス８７であるUSB接続端子にUSBコネクタ６１を接続する。【０１１６】
制御部６３がUSBインタフェイス６２を通じて情報処理装置８にUSBメモリ部６が接続されたことを認識すると（ステップＳ３２０１で「ＹＥＳ」）、制御部６３は認証プログラム記憶領域６４２から認証プログラムを呼び出すと共に、暗号化プログラム記憶領域６４３から暗号化プログラムを呼び出して、情報処理装置８に出力する。情報処理装置８のＣＰＵ８１は、受信した認証プログラム及び暗号化プログラムをＲＡＭ８２に一時的に記憶させる。【０１１７】
なお通常、情報処理装置８にUSBメモリ部６が接続されると、情報処理装置８は、電気的に、デバイスとしてのUSBメモリ部６の接続を検出し、USBメモリ部６について、USBの標準仕様に規定された初期化処理を実行する。具体的には例えば、USBデバイスリクエストのやりとりや、ディスクリプタのやりとり、接続デバイスであるUSBメモリ部６へのアドレスの割り当て等が実行される。【０１１８】
そして情報処理装置８のＣＰＵ８１は、認証プログラムを実行する。即ち、ＣＰＵ８１は、図１９に示すような閲覧パスワードの入力画面を、ディスプレイ８５上に表示させる制御を行う（ステップＳ３２０２）。医療機関の医師等は、閲覧パスワード入力画面を見ながら、指示入力手段８６を操作して、自身の医療機関に係る閲覧パスワード（＝識別コード）を入力する。ＣＰＵ８１は、指示入力手段８６を通じて閲覧パスワードの入力を受け付けると（ステップＳ３２０３で「ＹＥＳ」）、閲覧パスワード記憶領域６４１に記憶されている閲覧パスワードを呼び出して参照し、入力された閲覧パスワードと一致するか否かを判断する制御を行う。【０１１９】
また、ＣＰＵ８１は、入力された閲覧パスワードが、閲覧パスワード記憶領域６４１に記憶されたいずれかの閲覧パスワードと一致し（ステップＳ３２０４で「ＹＥＳ」）、入力された当該閲覧パスワードが、医療機関を示すパスワードであると認識すると、図２０に示すような医療機関ID（＝医療機関識別情報）の入力画面を表示させる制御を行う（ステップＳ３２０５）。医療機関の医師等は、医療機関IDの入力画面を見ながら、指示入力手段８６を操作して、自身の医療機関に係る医療機関ID、利用者コード等を入力する。【０１２０】
なお、自身の医療機関IDが医療機関基本情報記憶領域６５５に記憶されていない場合には、医療機関の医師等は、指示入力手段８６を操作して、医療機関基本情報の入力する旨のコマンドを入力する。ＣＰＵ８１は、指示入力手段８６を通じて当該コマンドの入力を受け付けると、ディスプレイ８５上に図２１に示すような入力画面を表示させ、医療機関の名称、電話番号、所在地、診療科、担当医等の医療機関基本情報の入力を受け付ける制御を行う。ＣＰＵ８１は、指示入力手段８６を通じて医療機関基本情報の入力を受け付けると、当該医療機関基本情報を医療機関基本情報記憶領域６５５に記憶させる制御を行う。【０１２１】
ところで、ＣＰＵ８１は、指示入力手段８６を通じて医療機関ID等の入力を受け付けると（ステップＳ３２０６で「ＹＥＳ」）、医療機関基本情報記憶領域６５５に記憶されている各医療機関IDを呼び出して参照し、入力された医療機関IDと一致するか否かを判断する制御を行う。ＣＰＵ８１は、入力された医療機関IDが医療機関基本情報記憶領域６５５に記憶されているいずれかの医療機関IDと一致した場合には（ステップＳ３２０７で「ＹＥＳ」）、入力された閲覧パスワード及び医療機関IDをログイン受付時と共に、ログイン履歴記憶領域６４４に記憶させる制御を行う。また、ＣＰＵ８１は、入力された医療機関IDが医療機関基本情報記憶領域６５５に記憶されているいずれかの医療機関IDと一致した場合には、アクセス制御情報記憶領域６５６を参照し、図２２に示すように患者処方情報記憶領域６４７から患者介護情報記憶領域６５１までの各記憶領域に医療機関ID毎に区分けされて記憶されている医療情報のうち、当該医療機関IDに係る医療情報を呼び出してディスプレイ８５上に表示させる制御を行う（ステップＳ３２０８）。【０１２２】
詳しくは、ＣＰＵ８１は、アクセス制御情報記憶領域６５６を参照し、患者処方情報記憶領域６４７から患者介護情報記憶領域６５１までの各記憶領域に医療機関ID毎に区分けされて記憶されている医療情報のうち、当該医療機関IDに係る医療情報を呼び出して、暗号化プログラムを用いて、当該医療情報を復号化する。そして、ＣＰＵ８１は、ＲＡＭ８２に当該医療情報を一時記憶させた上で、ディスプレイ８５上に表示させる。【０１２３】
医療機関の医師等が、ディスプレイ８５上に表示されている自身の医療機関に係る医療情報を訂正する、又は新たに医療情報を記憶させたい場合には、指示入力手段８６を操作して、患者処方情報記憶領域６４７から患者介護情報記憶領域６５１までのいずれかの記憶領域を指定し、指定した記憶領域に医療情報を入力する。【０１２４】
ＣＰＵ８１は、患者処方情報記憶領域６４７から患者介護情報記憶領域６５１までのいずれかの記憶領域に対する、指示入力手段８６を通じた医療情報の入力を受け付けると（ステップＳ３３０１で「ＹＥＳ」）、暗号化プログラムを用いて、当該医療情報を暗号化すると共に、アクセス制御情報記憶領域６５６を参照し、該当する記憶領域に当該医療情報を記憶させる制御を行う（ステップＳ３３０２）。【０１２５】
医療機関の医師等が、当該患者の基本情報又は患者サマリー情報を閲覧したい場合には、指示入力手段８６を操作して、患者基本情報記憶領域６４５に記憶されている患者基本情報又は患者サマリー情報記憶領域６４６に記憶されている医療情報を表示させる旨のコマンドを入力する。【０１２６】
ＣＰＵ８１は、指示入力手段８６を通じて患者基本情報記憶領域６４５に記憶されている患者基本情報又は患者サマリー情報記憶領域６４６に記憶されている医療情報を表示させる旨のコマンドの入力を受け付けると（ステップＳ３３０３で「ＹＥＳ」）、アクセス制御情報記憶領域６５６を参照し、患者基本情報記憶領域６４５に記憶されている患者基本情報又は患者サマリー情報記憶領域６４６に記憶されている医療情報を呼び出して、暗号化プログラムを用いて、当該情報を復号化する。そして、ＣＰＵ８１は、ＲＡＭ８２に当該情報を一時記憶させた上で、ディスプレイ８５上に表示させる制御を行う（ステップＳ３３０４）。【０１２７】
医療機関の医師等が、ディスプレイ８５上に表示されている患者基本情報又はサマリーに係る医療情報を訂正する、又は新たに患者基本情報又は医療情報を記憶させたい場合には、指示入力手段８６を操作して、患者基本情報又は医療情報を入力する。【０１２８】
ＣＰＵ８１は、患者基本情報記憶領域６４５又は患者サマリー情報記憶領域６４６に対する、指示入力手段８６を通じた患者基本情報又はサマリーに係る医療情報の入力を受け付けると（ステップＳ３３０５で「ＹＥＳ」）、暗号化プログラムを用いて、当該情報を暗号化すると共に、アクセス制御情報記憶領域６５６を参照し、患者基本情報記憶領域６４５又は患者サマリー情報記憶領域６４６に暗号化された当該患者基本情報又は医療情報を記憶させる制御を行う（ステップＳ３３０６）。【０１２９】
医療機関の医師等が、当該患者の処方に係る医療情報又は患者の検査に係る医療情報を閲覧したい場合には、指示入力手段８６を操作して、患者処方情報記憶領域６４７又は患者検査情報記憶領域６４８に記憶されている医療情報を表示させる旨のコマンドを入力する。【０１３０】
ＣＰＵ８１は、指示入力手段８６を通じて、患者処方情報記憶領域６４７又は患者検査情報記憶領域６４８に記憶されている医療情報を表示する旨のコマンドを受け付けると（ステップＳ３３０７で「ＹＥＳ」）、暗号化プログラムを用いて、患者処方情報記憶領域６４７又は患者検査情報記憶領域６４８に記憶されている医療情報を復号化する。そして、ＣＰＵ８１は、ＲＡＭ８２に当該医療情報を一時記憶させた上で、アクセス制御情報記憶領域６５６を参照し、当該医療情報を表示させる制御を行う（ステップＳ３３０８）。【０１３１】
医療機関の医師等が、認証プログラムに対するログイン履歴を閲覧したい場合には、指示入力手段８６を操作して、ログイン履歴記憶領域６４４に記憶されているログイン履歴を表示させるコマンドを入力する。【０１３２】
ＣＰＵ８１は、指示入力手段８６を通じて、ログイン履歴記憶領域６４４に記憶されているログイン履歴を表示させる旨のコマンドを受け付けると（ステップＳ３３０９で「ＹＥＳ」）、ログイン履歴記憶領域６４４に記憶されているログイン履歴を呼び出して表示させる制御を行う（ステップＳ３３１０）。【０１３３】
＜消防（救急救命）等がログインする場合＞
まず、消防の救命士等が認証プログラムにログインする場合について図３４を用いて説明する。例えば患者(本人)を搬送する救命士は、医療情報カードＢのUSBメモリ部６を回動させて、救急車に搭載されているノート型のＰＣ等の情報処理装置８のインタフェイス８７であるUSB接続端子にUSBコネクタ６１を接続する。【０１３４】
制御部６３がUSBインタフェイス６２を通じて情報処理装置８にUSBメモリ部６が接続されたことを認識すると(ステップＳ３２０１でＹＥＳ)、制御部６３は認証プログラム記憶領域６４２から認証プログラムを呼び出すと共に、暗号化プログラム記憶領域６４３から暗号化プログラムを呼び出して、情報処理装置８に出力する。情報処理装置８のＣＰＵ８１は、受信した認証プログラム及び暗号化プログラムをＲＡＭ８２に一時的に記憶させる。【０１３５】
そして情報処理装置８のＣＰＵ８１は、認証プログラムを実行する。即ち、ＣＰＵ８１は、図１９に示すような閲覧パスワードの入力画面を、ディスプレイ８５上に表示させる制御を行う（ステップＳ３２０２）。救命士は、閲覧パスワード入力画面を見ながら、指示入力手段８６を操作して、消防（救急救命）に係る閲覧パスワード（＝識別コード）を入力する。ＣＰＵ８１は、指示入力手段８６を通じて閲覧パスワードの入力を受け付けると（ステップＳ３２０３で「ＹＥＳ」）、閲覧パスワード記憶領域６４１に記憶されている閲覧パスワードを呼び出して参照させ、入力された閲覧パスワードと一致するか否かを判断する制御を行う。【０１３６】
そしてＣＰＵ８１は、入力された閲覧パスワードが、閲覧パスワード記憶領域６４１に記憶されたいずれかの閲覧パスワードと一致し（ステップＳ３２０４で「ＹＥＳ」）、入力された当該閲覧パスワードが、消防（救急救命）を示すパスワードであると認識すると、入力された閲覧パスワードをログイン受付時と共に、ログイン履歴記憶領域６４４に記憶させる制御を行う。また、ＣＰＵ８１は、入力された閲覧パスワードが閲覧パスワード記憶領域６４１に記憶されているいずれかの閲覧パスワードと一致した場合には、アクセス制御情報記憶領域６５６を参照し、患者サマリー情報記憶領域６４６に記憶されている医療情報を呼び出して、暗号化プログラムを用いて、当該医療情報を復号化する。そして、ＣＰＵ８１は、ＲＡＭ８２に当該医療情報を一時記憶させた上で、図２３に示すようにディスプレイ８５上に表示させる制御を行う（ステップＳ３４０１）。【０１３７】
＜患者（本人）がログインする場合＞
まず、患者本人が認証プログラムにログインする場合について図３５及び図３６を用いて説明する。例えば患者（本人）は、医療情報カードＢのUSBメモリ部６を回動させて、患者（本人）の自宅のデスクトップ型のＰＣ等の情報処理装置８のインタフェイス８７であるUSB接続端子にUSBコネクタ６１を接続する。【０１３８】
制御部６３がUSBインタフェイス６２を通じて情報処理装置８にUSBメモリ部６が接続されたことを認識すると(ステップＳ３２０１でＹＥＳ)、制御部６３は認証プログラム記憶領域６４２から認証プログラムを呼び出すと共に、暗号化プログラム記憶領域６４３から暗号化プログラムを呼び出して、情報処理装置８に出力する。情報処理装置８のＣＰＵ８１は、受信した認証プログラム及び暗号化プログラムをＲＡＭ８２に一時的に記憶させる。【０１３９】
そして情報処理装置８のＣＰＵ８１は、認証プログラムを実行する。即ち、ＣＰＵ８１は、図１９に示すような閲覧パスワードの入力画面を、ディスプレイ８５上に表示させる制御を行う（ステップＳ３２０２）。患者（本人）は、閲覧パスワード入力画面を見ながら、指示入力手段８６を操作して、自身の閲覧パスワード（＝識別コード）を入力する。ＣＰＵ８１は、指示入力手段８６を通じて閲覧パスワードの入力を受け付けると（ステップＳ３２０３で「ＹＥＳ」）、閲覧パスワード記憶領域６４１に記憶されている閲覧パスワードを呼び出して参照させ、入力された閲覧パスワードと一致するか否かを判断する制御を行う。【０１４０】
そしてＣＰＵ８１は、入力された閲覧パスワードが、閲覧パスワード記憶領域６４１に記憶されたいずれかの閲覧パスワードと一致し（ステップＳ３２０４で「ＹＥＳ」）、入力された当該閲覧パスワードが、患者（本人）を示すパスワードであると認識すると、入力された閲覧パスワードをログイン受付時と共に、ログイン履歴記憶領域６４４に記憶させる制御を行う。また、ＣＰＵ８１は、入力された閲覧パスワードが閲覧パスワード記憶領域６４１に記憶されているいずれかの閲覧パスワードと一致した場合には、アクセス制御情報記憶領域６５６を参照し、患者基本情報記憶領域６４５に記憶されている患者基本情報と、患者予約情報記憶領域６５３及び患者本人服用情報記憶領域６５４に記憶されている医療情報とを呼び出して、暗号化プログラムを用いて、当該情報を復号化する。そして、ＣＰＵ８１は、ＲＡＭ８２に当該情報を一時記憶させた上で、ディスプレイ８５上に表示させる制御を行う（ステップＳ３５０１）。【０１４１】
患者（本人）が、ディスプレイ８５上に表示されている患者基本情報や、予約又は本人服用に係る医療情報を訂正する、又は新たに患者基本情報又は医療情報を記憶させたい場合には、指示入力手段８６を操作して、患者基本情報又は医療情報を入力する。【０１４２】
ＣＰＵ８１は、患者基本情報記憶領域６４５に対する、指示入力手段８６を通じた患者基本情報の入力を受け付けると（ステップＳ３６０１で「ＹＥＳ」）、暗号化プログラムを用いて、当該情報を暗号化すると共に、アクセス制御情報記憶領域６５６を参照し、患者基本情報記憶領域６４５に暗号化された当該患者基本情報を記憶させる制御を行う（ステップＳ３６０２）。又は、ＣＰＵ８１は、患者予約情報記憶領域６５３に対する、指示入力手段８６を通じた予約に係る医療情報の入力を受け付けると（ステップＳ３６０１で「ＹＥＳ」）、暗号化プログラムを用いて、当該医療情報を暗号化すると共に、アクセス制御情報記憶領域６５６を参照し、患者予約情報記憶領域６５３に暗号化された当該医療情報を記憶させる制御を行う（ステップＳ３６０２）。又は、ＣＰＵ８１は、患者本人服用情報記憶領域６５４に対する、指示入力手段８６を通じた本人服用に係る医療情報の入力を受け付けると（ステップＳ３６０１で「ＹＥＳ」）、暗号化プログラムを用いて、当該医療情報を暗号化すると共に、アクセス制御情報記憶領域６５６を参照し、患者本人服用情報記憶領域６５４に暗号化された当該医療情報を記憶させる制御を行う（ステップＳ３６０２）。【０１４３】
患者（本人）が、サマリーに係る医療情報を閲覧したい場合には、指示入力手段８６を操作して、患者サマリー情報記憶領域６４６に記憶されている医療情報を表示させる旨のコマンドを入力する。【０１４４】
ＣＰＵ８１は、指示入力手段８６を通じて、患者サマリー情報記憶領域６４６に記憶されている医療情報を表示する旨のコマンドを受け付けると（ステップＳ３６０３で「ＹＥＳ」）、アクセス制御情報記憶領域６５６を参照すると共に、暗号化プログラムを用いて、当該医療情報を復号化する。そして、ＣＰＵ８１は、ＲＡＭ８２に当該医療情報を一時記憶させた上で、図２３に示すように患者サマリー情報記憶領域６４６に記憶されている医療情報を呼び出して表示させる制御を行う（ステップＳ３６０４）。【０１４５】
患者（本人）が、認証プログラムに対するログイン履歴を閲覧したい場合には、指示入力手段８６を操作して、ログイン履歴記憶領域６４４に記憶されているログイン履歴を表示させるコマンドを入力する。【０１４６】
ＣＰＵ８１は、指示入力手段８６を通じて、ログイン履歴記憶領域６４４に記憶されているログイン履歴を表示する旨のコマンドを受け付けると（ステップＳ３６０５で「ＹＥＳ」）、アクセス制御情報記憶領域６５６を参照し、ログイン履歴記憶領域６４４に記憶されているログイン履歴を呼び出して表示させる制御を行う（ステップＳ３６０６）。【０１４７】
このように、本実施例においては、患者基本情報記憶領域６４５、患者サマリー情報記憶領域６４６、患者処方情報記憶領域６４７等の各記憶領域について、閲覧/書き込みを許可するか否かを示すアクセス制御情報が、閲覧パスワード毎に設定されているため、患者(本人)、医療機関、消防(救急救命)、警察官、自治体等の各ユーザが入力する閲覧パスワードに応じて、各記憶領域について閲覧/書き込みを許可するか否かを変更することができる。【０１４８】
なお、本実施例においては、USBメモリ部６に患者医療情報等を記憶させる際には、医師等がキーボードやマウス等の指示入力手段８６を用いて入力する構成を示したが、この構成に限定されるわけではない。例えば、情報処理装置８から必要なデータを出力させ、これを取り込む構成としても良い。この構成について以下、具体的に説明する。【０１４９】
図３７に示すように、医療機関に設置されている端末ＰＣ等の情報処理装置８は、医療機関のサーバ等の情報処理装置１２（患者情報を管理する情報処理装置の一例）に、ネットワーク１４を用いて接続されている。【０１５０】
次に、情報処理装置１２に記憶されている患者医療情報を、情報処理装置８を用いて、USBメモリ部６の患者サマリー情報記憶領域６４６にから患者介護情報記憶領域６５１までの記憶領域に記憶させる場合の流れについて図３２及び図３８を用いて説明する。なお、医療機関の医師等が患者基本情報記憶領域６４５に患者基本情報を記憶させる場合については、医療情報を書き込む場合と同様であるため、説明を省略する。【０１５１】
例えば患者(本人)を診察した医師は、医療情報カードＢのUSBメモリ部６を回動させて、病院に設置されているデスクトップ型のＰＣ等の情報処理装置８のインタフェイス８７であるUSB接続端子にUSBコネクタ６１を接続する。【０１５２】
制御部６３がUSBインタフェイス６２を通じて情報処理装置８にUSBメモリ部６が接続されたことを認識すると（ステップＳ３２０１で「ＹＥＳ」）、制御部６３は認証プログラム記憶領域６４２から認証プログラムを呼び出すと共に、暗号化プログラム記憶領域６４３から暗号化プログラムを呼び出して、情報処理装置８に出力する。情報処理装置８のＣＰＵ８１は、受信した認証プログラム及び暗号化プログラムをＲＡＭ８２に一時的に記憶させる。【０１５３】
なお通常、情報処理装置８にUSBメモリ部６が接続されると、情報処理装置８は、電気的に、デバイスとしてのUSBメモリ部６の接続を検出し、USBメモリ部６について、USBの標準仕様に規定された初期化処理を実行する。具体的には例えば、USBデバイスリクエストのやりとりや、ディスクリプタのやりとり、接続デバイスであるUSBメモリ部６へのアドレスの割り当て等が実行される。【０１５４】
そして情報処理装置８のＣＰＵ８１は、認証プログラムを実行する。即ち、ＣＰＵ８１は、図１９に示すような閲覧パスワードの入力画面を、ディスプレイ８５上に表示させる制御を行う（ステップＳ３２０２）。医療機関の医師等は、閲覧パスワード入力画面を見ながら、指示入力手段８６を操作して、自身の医療機関に係る閲覧パスワード（＝識別コード）を入力する。ＣＰＵ８１は、指示入力手段８６を通じて閲覧パスワードの入力を受け付けると（ステップＳ３２０３で「ＹＥＳ」）、閲覧パスワード記憶領域６４１に記憶されている閲覧パスワードを呼び出して参照し、入力された閲覧パスワードと一致するか否かを判断する制御を行う。【０１５５】
また、ＣＰＵ８１は、入力された閲覧パスワードが、閲覧パスワード記憶領域６４１に記憶されたいずれかの閲覧パスワードと一致し（ステップＳ３２０４で「ＹＥＳ」）、入力された当該閲覧パスワードが、医療機関を示すパスワードであると認識すると、図２０に示すような医療機関ID（＝医療機関識別情報）の入力画面を表示させる制御を行う（ステップＳ３２０５）。医療機関の医師等は、医療機関IDの入力画面を見ながら、指示入力手段８６を操作して、自身の医療機関に係る医療機関ID、利用者コード等を入力する。【０１５６】
なお、自身の医療機関IDが医療機関基本情報記憶領域６５５に記憶されていない場合には、医療機関の医師等は、指示入力手段８６を操作して、医療機関基本情報の入力する旨のコマンドを入力する。ＣＰＵ８１は、指示入力手段８６を通じて当該コマンドの入力を受け付けると、ディスプレイ８５上に図２１に示すような入力画面を表示させ、医療機関の名称、電話番号、所在地、診療科、担当医等の医療機関基本情報の入力を受け付ける制御を行う。ＣＰＵ８１は、指示入力手段８６を通じて医療機関基本情報の入力を受け付けると、当該医療機関基本情報を医療機関基本情報記憶領域６５５に記憶させる制御を行う。【０１５７】
ところで、ＣＰＵ８１は、指示入力手段８６を通じて医療機関ID等の入力を受け付けると（ステップＳ３２０６で「ＹＥＳ」）、医療機関基本情報記憶領域６５５に記憶されている各医療機関IDを呼び出して参照し、入力された医療機関IDと一致するか否かを判断する制御を行う。ＣＰＵ８１は、入力された医療機関IDが医療機関基本情報記憶領域６５５に記憶されているいずれかの医療機関IDと一致した場合には（ステップＳ３２０７で「ＹＥＳ」）、入力された閲覧パスワード及び医療機関IDをログイン受付時と共に、ログイン履歴記憶領域６４４に記憶させる制御を行う。また、ＣＰＵ８１は、入力された医療機関IDが医療機関基本情報記憶領域６５５に記憶されているいずれかの医療機関IDと一致した場合には、アクセス制御情報記憶領域６５６を参照し、患者処方情報記憶領域６４７から患者介護情報記憶領域６５１までの各記憶領域に医療機関ID毎に区分けされて記憶されている医療情報のうち、当該医療機関IDに係る医療情報を呼び出してディスプレイ８５上に表示させる制御を行う（ステップＳ３２０８）。【０１５８】
次に図３８に示すように、医療機関の医師等は、キーボードやマウス等の指示入力手段８６を用いて、情報取り込み用の画面を表示させ(ステップＳ３８０１)、当該患者に係る診察券番号等の患者識別情報を入力する。次に患者識別情報の入力を受け付けると(ステップＳ３８０２でＹＥＳ)、ＣＰＵ８１は、患者識別情報に基づいて、患者情報記憶手段１２１に記憶されている患者医療情報を検索し、当該患者識別情報に係る患者医療情報を呼び出す(ステップＳ３８０３)。ＣＰＵ８１は、受信情報記憶領域２４７を記憶部６４内の空いている領域に作成する(ステップＳ３８０４)。ＣＰＵ８１は、呼び出した患者医療情報を、受信情報記憶領域２４７に記憶させる(ステップＳ３８０５)。ＣＰＵ８１は、受信情報記憶領域２４７に記憶されている患者医療情報を呼び出すと共に、変換テーブル記憶領域４４２に記憶されている変換テーブルを参照し、呼び出した患者医療情報の中から特定の項目を抜き出して、XML等の特定の形式に変換する(ステップＳ３８０６)。ＣＰＵ８１は、XML等の特定の形式に変換した患者医療情報を患者サマリー情報記憶領域６４６から患者介護情報記憶領域６５１までのいずれかの記憶領域に記憶させる(ステップＳ３８０７)。【０１５９】
ステップＳ３８０６及びステップＳ３８０７について、具体的に例をあげて説明する。受信情報記憶領域２４７に記憶されている患者医療情報は、データの種別（例えば、食事、処方、注射、検査）毎に区分けされている。そこでＣＰＵ８１は、図１３に示すように、受信情報記憶領域２４７に記憶されている患者医療情報の中から処方に係る医療情報を呼び出す。また、変換テーブル記憶領域４４２に記憶されている変換テーブル（ここでは、「項目：処方」の部分）を参照する。そして、「薬情報」の項目として「ジゴシン１０００倍散『中外』」を抜き出して、XML等の特定の形式に変換する。また、「１回の服用量」の項目として「０．２mg」を抜き出して、XML等の特定の形式に変換する。また、「１日量」の項目として「１日１回  朝食後」を抜き出して、XML等の特定の形式に変換する。また「投薬日数」の項目として「５日分」を抜き出して、XML等の特定の形式に変換する。また、「投与開始日」の項目として「２００５年１１月２６日」を抜き出して、XML等の特定の形式に変換する。また、「投与終了日」の項目として「２００５年１１月３０日」を抜き出して、XML等の特定の形式に変換する。また、「登録者コード」の項目として「ishi01」を抜き出して、XML等の特定の形式に変換する。また、「登録者コード」の項目として「ishi01 北島康介」を抜き出して、XML等の特定の形式に変換する。また、「登録者日時」の項目として「２００５年１１月２６日」を抜き出して、XML等の特定の形式に変換する。そしてＣＰＵ８１は、これら変換後の患者医療情報を患者処方情報記憶領域６４７に記憶させる。【０１６０】
このように本実施例の構成によれば、病院等の各医療機関で導入されている医療情報システムが異なる場合であっても、各医療情報システムから電子的に出力された患者情報をXML等の特定の形式に変換することができる。【０１６１】
＜変形例＞
また本実施例においては、記憶部６４に、閲覧パスワード記憶領域６４１、認証プログラム記憶領域６４２、暗号化プログラム記憶領域６４３、ログイン履歴記憶領域６４４、患者基本情報記憶領域６４５、患者サマリー情報記憶領域６４６、患者処方情報記憶領域６４７、患者検査情報記憶領域６４８、患者注射情報記憶領域６５０、患者介護情報記憶領域６５１、患者予約情報記憶領域６５３、患者本人服用情報記憶領域６５４、医療機関基本情報記憶領域６５５、アクセス制御情報記憶領域６５６を設ける構成を示した。しかし、この構成に限定されるものではない。例えば、当該患者に対する医療機関の医師等の所見に係る医療情報を記憶する患者所見情報記憶領域や、妊婦としての当該患者及び当該患者の子供に係る医療情報を記憶する患者母子手帳情報記憶領域を設ける構成としても良い。また、本実施例では、「処方」、「検査」、「注射」といった項目に医療情報を区分けして、区分けした項目毎の記憶領域に医療情報を記憶する構成を示したが、この区分け及び項目は一例であって、本実施例で示した構成に限定されるものではない。【０１６２】
なお、実施例１及び２においては、ＣＰＵ４１又は８１は、患者識別情報に基づいて、患者情報記憶手段１２１に記憶されている患者基本情報又は患者医療情報を検索し、当該患者識別情報に係る患者基本情報又は患者医療情報を呼び出した後に、受信情報記憶領域２４７を記憶部２４又は６４内の空いている領域に作成する構成を示したが、この構成に限定されるものではなく、ＣＰＵ４１又は８１は、受信情報記憶領域２４７の作成後に、患者識別情報に基づいて、患者情報記憶手段１２１を検索する構成としても良い。また、本実施例では、ＣＰＵ４１又は８１は、患者情報記憶領域１２１から呼び出した患者基本情報又は患者医療情報を、受信情報記憶領域２４７に一旦記憶させた後に、受信情報記憶領域２４７から呼び出して、XML等の特定の形式に変換する構成を示したがこの構成に限定されるものではなく、患者情報記憶領域１２１から呼び出した患者基本情報又は患者医療情報を、XML等の特定の形式に変換する構成としても良い。【０１６３】
また、実施例１及び２においては、患者情報記憶手段１２１に記憶されている患者情報が、厚生労働省電子的診療情報交換推進事業（ＳＳ−ＭＩＸ）において取り決められた標準化ストレージに基づいて記憶されており、標準化ストレージに基づいて記憶された患者情報を、変換プログラムを用いて変換する構成を示した。しかし、参照する変換テーブルの内容を変更することによって、患者情報記憶手段に記憶されているＳＳ−ＭＩＸの拡張ストレージに基づいて記憶された患者情報、ＤＰＣ（＝Diagnosis Procedure Combination：平成１５年４月に特定機能病院等に導入された急性期入院医療の診断群分類に基づく１日当たりの包括評価制度）基づいて記憶された患者情報、オンライレセプト利用ファイル、電子カルテ出力ファイル等も、XML等の特定の形式に変換可能である。【０１６４】
また、実施例１及び２においては、ＵＳＢメモリ部２又は６に患者の医療情報及び認証プログラムを記憶させておき、情報処理装置４又は８に、ＵＳＢコネクタを２１又は６１を接続すると、認証プログラムが情報処理装置４又は８のＲＡＭ４２又は８２に読み込まれ、ＣＰＵ４１又は８１が当該プログラムを実行する構成を示した。しかし、この構成に限定されるものではなく、認証プログラムをスマートフォンやタブレット型ＰＣのフラッシュメモリ等の記憶手段にインストールさせ、当該スマートフォン等のCPUで認証プログラムを実行する構成としても良い。この場合、患者の医療情報等を記憶する各記憶領域については、当該スマートフォン等に設けられている記憶手段を使用する。【０１６５】
即ち、USBメモリ部２又は６をスマートフォン等にインストールする構成であるため、患者は別途、医療情報カードＡ又はＢを携帯する必要がなくなり便宜である。また患者は、自宅のPC等を用いなくても、USBメモリ部２等に記憶されている自身の医療情報等を閲覧することができるため、便宜である。【０１６６】
また、実施例１及び２においては、記憶部２４又は記憶部６４を有し、情報処理装置４又は情報処理装置８に接続可能な記憶媒体として、USBメモリ（＝USBメモリ部２又は６）を用いる構成を例示したが、記憶媒体は、USBメモリに限定されるわけではない。記憶媒体は、患者が携帯可能なリムーバブルメディアであれば良く、例えば、メモリーカードでも良い。【０１６７】
また、実施例１及び２においては、情報呼出プログラムと変換プログラムとが別個の構成を示したが、これら２つのプログラムの構成を併せ持ったプログラムが、USBメモリ部２又は６、あるいは情報処理装置４又は８に記憶されている構成としても良い。【０１６８】
また、実施例１及び２においては、情報呼出プログラムがUSBメモリ部２又は６に記憶されており、変換プログラムが情報処理装置４又は８に記憶されている構成を示したが、情報呼出プログラム及び変換プログラムの２つのプログラムが、USBメモリ部２又は６に記憶されている、あるいは情報処理装置４又は８に記憶されている構成としても良い。
【符号の説明】
【０１６９】
１：カード部、
２：USBメモリ部、２１：USBコネクタ、２２：USBインタフェイス、２３：制御部、２４：記憶部、２４１：閲覧パスワード記憶領域、２４２：患者基本情報記憶領域、２４３：患者医療情報記憶領域、２４４：認証プログラム記憶領域、２４５：暗号化プログラム記憶領域、２４６：情報呼出プログラム記憶領、２４７：受信情報記憶領域、２５：バス、
３：ネックストラップ、
４：情報処理装置、４１：ＣＰＵ、４２：ＲＡＭ、４３：ＲＯＭ、４４：ＨＤ、４４１：変換プログラム記憶領域、４４２：変換テーブル記憶領域、４５：ディスプレイ、４６：指示入力手段、４７：インタフェイス、４８：バス、
６：USBメモリ部、６１：USBコネクタ、６２：USBインタフェイス、６３：制御部、６４：記憶部、６４１：閲覧パスワード記憶領域、６４２：認証プログラム記憶領域、６４３：暗号化プログラム記憶領域、６４４：ログイン履歴記憶領域、６４５：患者基本情報記憶領域、６４６：患者サマリー情報記憶領域、６４７：患者処方情報記憶領域、６４８：患者検査情報記憶領域、６５０：患者注射情報記憶領域、６５１：患者介護情報記憶領域、６５３：患者予約情報記憶領域、６５４：患者本人服用情報記憶領域、６５５：医療機関基本情報記憶領域、６５６：アクセス制御情報記憶領域、６５：バス、
８：情報処理装置、８１：ＣＰＵ、８２：ＲＡＭ、８３：ＲＯＭ、８４：ＨＤ、８４１：変換プログラム記憶領域、８５：ディスプレイ、８６：指示入力手段、８７：インタフェイス、８８：バス、
１２：情報処理装置、１２１：患者情報記憶手段、
１４：ネットワーク
【図１】
2013002127.tif 000003
【図２】
2013002127.tif 000004
【図３】
2013002127.tif 000005
【図４】
2013002127.tif 000006
【図５】
2013002127.tif 000007
【図６】
2013002127.tif 000008
【図７】
2013002127.tif 000009
【図８】
2013002127.tif 000010
【図９】
2013002127.tif 000011
【図１０】
2013002127.tif 000012
【図１１】
2013002127.tif 000013
【図１２】
2013002127.tif 000014
【図１３】
2013002127.tif 000015
【図１４】
2013002127.tif 000016
【図１５】
2013002127.tif 000017
【図１６】
2013002127.tif 000018
【図１７】
2013002127.tif 000019
【図１８】
2013002127.tif 000020
【図１９】
2013002127.tif 000021
【図２０】
2013002127.tif 000022
【図２１】
2013002127.tif 000023
【図２２】
2013002127.tif 000024
【図２３】
2013002127.tif 000025
【図２４】
2013002127.tif 000026
【図２５】
2013002127.tif 000027
【図２６】
2013002127.tif 000028
【図２７】
2013002127.tif 000029
【図２８】
2013002127.tif 000030
【図２９】
2013002127.tif 000031
【図３０】
2013002127.tif 000032
【図３１】
2013002127.tif 000033
【図３２】
2013002127.tif 000034
【図３３】
2013002127.tif 000035
【図３４】
2013002127.tif 000036
【図３５】
2013002127.tif 000037
【図３６】
2013002127.tif 000038
【図３７】
2013002127.tif 000039
【図３８】
2013002127.tif 000040
【国際調査報告】
2013002127.tif 000041
2013002127.tif 000042
2013002127.tif 000043
2013002127.tif 000044